(57)【特許請求の範囲】
【請求項１】
記録媒体に対してAVストリームを記録する情報処理装置において、
複数の再生パスを構成するそれぞれの前記AVストリームを生成する符号化手段と、
それぞれの前記AVストリームのエントリーポイントの位置を示すマップ情報、および、前記マップ情報に含まれる前記エントリーポイントに基づいて設定された各再生パスの切り替え点を示す再生管理情報からなる管理情報を生成する管理情報生成手段と、
前記AVストリーム、および、前記管理情報を前記記録媒体に記録する記録手段と
を備えることを特徴とする情報処理装置。
【請求項２】
前記管理情報生成手段は、前記マップ情報として、前記エントリーポイントのプレゼンテーションタイムスタンプとパケット番号との対応関係を記述した対応テーブルを作成する
ことを特徴とする請求項１に記載の情報処理装置。
【請求項３】
前記符号化手段は、前記再生パスごとにＡＶストリームを生成するとともに、
前記管理情報生成手段は、前記再生パスごとに生成されたＡＶストリームすべてについての前記マップ情報、および前記再生管理情報を１つの対応テーブルとして生成する
ことを特徴とする請求項２に記載の情報処理装置。
【請求項４】
前記管理情報生成手段は、前記再生パスごとに生成されたＡＶストリームについての前記マップ情報、および前記再生管理情報を前記再生パスごとに生成する
ことを特徴とする請求項２に記載の情報処理装置。
【請求項５】
前記管理情報生成手段により生成される前記管理情報には、再生パスごとに生成されたＡＶストリームそれぞれを指定する情報、および前記再生パスが複数存在する区間を指定する情報を含む
ことを特徴とする請求項４に記載の情報処理装置。
【請求項６】
前記符号化手段は、前記再生パスの切り替え点で始まる各区間のビデオストリームが、Iピクチャから開始するClosed GOPとなり、最初のパケットがビデオパケットになるように符号化し、
前記符号化手段により生成された前記AVストリームは、トランスポートストリームに含まれる
ことを特徴とする請求項２に記載の情報処理装置。
【請求項７】
前記符号化手段は、すべての再生パスにおいて、トランスポートストリームのビデオのパケットIDを同じ値とし、かつ、オーディオのパケットIDも同じ値とする
ことを特徴とする請求項６に記載の情報処理装置。
【請求項８】
前記区間毎の前記トランスポートストリームをソースパケット化するソースパケット化手段をさらに備え、
前記記録手段は、前記ソースパケット化手段によりソースパケット化された前記区間毎の前記トランスポートストリームをAVストリームファイルとして前記記録媒体に記録する
ことを特徴とする請求項４に記載の情報処理装置。
【請求項９】
前記記録手段は、前記AVストリームを前記記録媒体に記録するとき、再生パスの前記各区間が所定の順序になるようにインターリーブして記録する
ことを特徴とする請求項２に記載の情報処理装置。
【請求項１０】
前記記録手段は、前記AVストリームを前記記録媒体に記録するとき、同一の再生パスの複数の前記区間が複数個連続するように記録する
ことを特徴とする請求項２に記載の情報処理装置。
【請求項１１】
前記再生管理情報は、前記エントリーポイントにおいて再生パスの切り替えが可能であるか否かを示す切り替え情報を含む
ことを特徴とする請求項２に記載の情報処理装置。
【請求項１２】
記録媒体に対してAVストリームを記録する情報処理装置の情報処理方法において、
複数の再生パスを構成するそれぞれの前記AVストリームを生成する符号化ステップと、
それぞれの前記AVストリームのエントリーポイントの位置を示すマップ情報、および、前記マップ情報に含まれる前記エントリーポイントに基づいて設定された各再生パスの切り替え点を示す再生管理情報からなる管理情報を生成する管理情報生成ステップと、
前記AVストリーム、および、前記管理情報を前記記録媒体に記録する記録ステップと
を含むことを特徴とする情報処理方法。
【請求項１３】
記録媒体に対してAVストリームを記録するプログラムであって、
複数の再生パスを構成するそれぞれの前記AVストリームを生成する符号化ステップと、
それぞれの前記AVストリームのエントリーポイントの位置を示すマップ情報、および、前記マップ情報に含まれる前記エントリーポイントに基づいて設定された各再生パスの切り替え点を示す再生管理情報からなる管理情報を生成する管理情報生成ステップと、
前記AVストリーム、および、前記管理情報を前記記録媒体に記録する記録ステップと
を含むことを特徴とするコンピュータが読み取り可能なプログラムが記録されているプログラム格納媒体。
【請求項１４】
記録媒体に対してAVストリームを記録するプログラムであって、
複数の再生パスを構成するそれぞれの前記AVストリームを生成する符号化ステップと、
それぞれの前記AVストリームのエントリーポイントの位置を示すマップ情報、および、前記マップ情報に含まれる前記エントリーポイントに基づいて設定された各再生パスの切り替え点を示す再生管理情報からなる管理情報を生成する管理情報生成ステップと、
前記AVストリーム、および、前記管理情報を前記記録媒体に記録する記録ステップと
をコンピュータに実行させることを特徴とするプログラム。
【請求項１５】
AVストリーム、前記AVストリームの実体を管理するマップ情報、および、前記AVストリームの再生を管理する再生管理情報が記録可能な記録媒体から、前記AVストリームを再生する情報処理装置において、
前記AVストリームの、再生パスの切り替え点で区分される各区間を単位とする各再生パス毎に与えられた前記再生管理情報を読み出すとともに、前記AVストリームの、前記切り替え点のプレゼンテーションタイムスタンプと、パケット番号との対応関係を記述した対応テーブルを含む前記マップ情報を読み出す読み出し手段と、
前記読み出し手段により読み出された前記再生管理情報に基づいて、前記記録媒体に記録されている前記AVストリームを再生する再生手段と、
再生パスの切り替えが指示された場合、切り替え元の再生パスの前記再生管理情報と、切り替え先の再生パスの前記再生管理情報とを検索する検索手段と、
切り替え元の再生パスの前記再生管理情報と、切り替え元の再生パスの前記対応テーブルに基づいて、切り替え元の再生パスの前記AVストリームの再生終了位置を取得する第１の取得手段と、
切り替え先の再生パスの前記再生管理情報と、切り替え先の再生パスの前記対応テーブルに基づいて、切り替え先の再生パスの前記AVストリームの再生開始位置を取得する第２の取得手段と、
前記再生終了位置において前記再生開始位置に再生点を移動させるよう前記再生手段を制御する制御手段と
を備えることを特徴とする情報処理装置。
【請求項１６】
AVストリーム、前記AVストリームの実体を管理するマップ情報、および、前記AVストリームの再生を管理する再生管理情報が記録可能な記録媒体から、前記AVストリームを再生する情報処理装置の情報処理方法において、
前記AVストリームの、再生パスの切り替え点で区分される各区間を単位とする各再生パス毎に与えられた前記再生管理情報を読み出すとともに、前記AVストリームの、前記切り替え点のプレゼンテーションタイムスタンプと、パケット番号との対応関係を記述した対応テーブルを含む前記マップ情報を読み出す読み出しステップと、
前記読み出しステップの処理により読み出された前記再生管理情報に基づいて、前記記録媒体に記録されている前記AVストリームを再生する再生ステップと、
再生パスの切り替えが指示された場合、切り替え元の再生パスの前記再生管理情報と、切り替え先の再生パスの前記再生管理情報とを検索する検索ステップと、
切り替え元の再生パスの前記再生管理情報と、切り替え元の再生パスの前記対応テーブルに基づいて、切り替え元の再生パスの前記AVストリームの再生終了位置を取得する第１の取得ステップと、
切り替え先の再生パスの前記再生管理情報と、切り替え先の再生パスの前記対応テーブルに基づいて、切り替え先の再生パスの前記AVストリームの再生開始位置を取得する第２の取得ステップと、
前記再生終了位置において前記再生開始位置に再生点を移動させるよう前記再生ステップの処理を制御する制御ステップと
を含むことを特徴とする情報処理方法。
【請求項１７】
AVストリーム、前記AVストリームの実体を管理するマップ情報、および、前記AVストリームの再生を管理する再生管理情報が記録可能な記録媒体から、前記AVストリームを再生するプログラムであって、
前記AVストリームの、再生パスの切り替え点で区分される各区間を単位とする各再生パス毎に与えられた前記再生管理情報を読み出すとともに、前記AVストリームの、前記切り替え点のプレゼンテーションタイムスタンプと、パケット番号との対応関係を記述した対応テーブルを含む前記マップ情報を読み出す読み出しステップと、
前記読み出しステップの処理により読み出された前記再生管理情報に基づいて、前記記録媒体に記録されている前記AVストリームを再生する再生ステップと、
再生パスの切り替えが指示された場合、切り替え元の再生パスの前記再生管理情報と、切り替え先の再生パスの前記再生管理情報とを検索する検索ステップと、
切り替え元の再生パスの前記再生管理情報と、切り替え元の再生パスの前記対応テーブルに基づいて、切り替え元の再生パスの前記AVストリームの再生終了位置を取得する第１の取得ステップと、
切り替え先の再生パスの前記再生管理情報と、切り替え先の再生パスの前記対応テーブルに基づいて、切り替え先の再生パスの前記AVストリームの再生開始位置を取得する第２の取得ステップと、
前記再生終了位置において、前記再生開始位置に再生点を移動させるよう前記再生ステップの処理を制御する制御ステップと
を含むことを特徴とするコンピュータが読み取り可能なプログラムが記録されているプログラム格納媒体。
【請求項１８】
AVストリーム、前記AVストリームの実体を管理するマップ情報、および前記AVストリームの再生を管理する再生管理情報が記録可能な記録媒体から、前記AVストリームを再生するプログラムであって、
前記AVストリームの、再生パスの切り替え点で区分される各区間を単位とする各再生パス毎に与えられた前記再生管理情報を読み出すとともに、前記AVストリームの、前記切り替え点のプレゼンテーションタイムスタンプと、パケット番号との対応関係を記述した対応テーブルを含む前記マップ情報を読み出す読み出しステップと、
前記読み出しステップの処理により読み出された前記再生管理情報に基づいて、前記記録媒体に記録されている前記AVストリームを再生する再生ステップと、
再生パスの切り替えが指示された場合、切り替え元の再生パスの前記再生管理情報と、切り替え先の再生パスの前記再生管理情報とを検索する検索ステップと、
切り替え元の再生パスの前記再生管理情報と、切り替え元の再生パスの前記対応テーブルに基づいて、切り替え元の再生パスの前記AVストリームの再生終了位置を取得する第１の取得ステップと、
切り替え先の再生パスの前記再生管理情報と、切り替え先の再生パスの前記対応テーブルに基づいて、切り替え先の再生パスの前記AVストリームの再生開始位置を取得する第２の取得ステップと、
前記再生終了位置において、前記再生開始位置に再生点を移動させるよう前記再生ステップの処理を制御する制御ステップと
をコンピュータに実行させることを特徴とするプログラム。
【請求項１９】
記録媒体に対してAVストリームを記録する情報処理装置において、
複数の再生パスを構成するそれぞれの前記AVストリームを生成する符号化手段と、
各再生パス毎の前記AVストリームの始点と、前記AVストリームのエントリーポイントの位置を示すマップ情報、並びに、前記AVストリームの始点と終点、前記マップ情報に含まれる前記エントリーポイントに含まれる再生パスの切り替え点、および、各再生パスのAVストリームを指示する指示情報を含む再生管理情報からなる管理情報を生成する管理情報生成手段と、
前記AVストリーム、および、前記管理情報を前記記録媒体に記録する記録手段と
を備えることを特徴とする情報処理装置。
【請求項２０】
前記管理情報生成手段は、前記マップ情報として、前記エントリーポイントのプレゼンテーションタイムスタンプと、パケット番号との対応関係を記述した対応テーブルを作成する
ことを特徴とする請求項１９に記載の情報処理装置。
【請求項２１】
前記符号化手段は、前記再生パスごとにＡＶストリームを生成するとともに、
前記管理情報生成手段は、前記再生パスごとに生成されたＡＶストリームすべてについての前記マップ情報、および、前記再生管理情報を１つの対応テーブルとして生成する
ことを特徴とする請求項２０に記載の情報処理装置。
【請求項２２】
前記管理情報生成手段は、前記再生パスごとに生成されたＡＶストリームについての前記マップ情報、および、前記再生管理情報を前記再生パスごとに生成する
ことを特徴とする請求項２０に記載の情報処理装置。
【請求項２３】
前記管理情報生成手段により生成される前記管理情報は、再生パスごとに生成されたＡＶストリームそれぞれを指定する情報、および、前記再生パスが複数存在する区間を指定する情報を含む
ことを特徴とする請求項２２に記載の情報処理装置。
【請求項２４】
前記符号化手段は、前記再生パスの切り替え点で始まる各区間のビデオストリームが、Iピクチャから開始するClosed GOPとなり、最初のパケットがビデオパケットになるように符号化し、
前記符号化手段により生成された前記AVストリームは、トランスポートストリームに含まれる
ことを特徴とする請求項２０に記載の情報処理装置。
【請求項２５】
前記符号化手段は、各区間のビデオストリームにおいて、先頭が前記Closed GOPとなり、それ以降が非Closed GOPとなるように符号化する
ことを特徴とする請求項２４に記載の情報処理装置。
【請求項２６】
前記区間毎の前記トランスポートストリームをソースパケット化するソースパケット化手段をさらに備え、
前記記録手段は、前記ソースパケット化手段によりソースパケット化された前記区間毎の前記トランスポートストリームをAVストリームファイルとして前記記録媒体に記録する
ことを特徴とする請求項２２に記載の情報処理装置。
【請求項２７】
前記管理情報生成手段は、前記AVストリームファイルに対応する、前記マップ情報に含まれる１つの前記対応テーブルを生成する
ことを特徴とする請求項２６に記載の情報処理装置。
【請求項２８】
前記記録手段は、前記AVストリームを前記記録媒体に記録するとき、再生パスの前記各区間が所定の順序になるようにインターリーブして記録する
ことを特徴とする請求項２０に記載の情報処理装置。
【請求項２９】
前記記録手段は、前記AVストリームを前記記録媒体に記録するとき、同一の再生パスの複数の前記区間が複数個連続するように記録する
ことを特徴とする請求項２０に記載の情報処理装置。
【請求項３０】
前記再生管理情報は、前記エントリーポイントにおいて再生パスの切り替えが可能であるか否かを示す切り替え情報を含む
ことを特徴とする請求項１９に記載の情報処理装置。
【請求項３１】
記録媒体に対してAVストリームを記録する情報処理装置の情報処理方法において、
複数の再生パスを構成するそれぞれの前記AVストリームを生成する符号化ステップと、
各再生パス毎の前記AVストリームの始点と、前記AVストリームのエントリーポイントの位置を示すマップ情報、並びに、前記AVストリームの始点と終点、前記マップ情報に含まれる前記エントリーポイントに含まれる再生パスの切り替え点、および、各再生パスのAVストリームを指示する指示情報を含む再生管理情報からなる管理情報を生成する管理情報生成ステップと、
前記AVストリーム、および、前記管理情報を前記記録媒体に記録する記録ステップと
を含むことを特徴とする情報処理方法。
【請求項３２】
記録媒体に対してAVストリームを記録する情報処理装置のプログラムであって、
複数の再生パスを構成するそれぞれの前記AVストリームを生成する符号化ステップと、
各再生パス毎の前記AVストリームの始点と前記AVストリームのエントリーポイントの位置を示すマップ情報、並びに、前記AVストリームの始点と終点、前記マップ情報に含まれる前記エントリーポイントに含まれる再生パスの切り替え点、および、各再生パスのAVストリームを指示する指示情報を含む再生管理情報からなる管理情報を生成する管理情報生成ステップと、
前記AVストリーム、および、前記管理情報を前記記録媒体に記録する記録ステップと
を含むことを特徴とするコンピュータが読み取り可能なプログラムが記録されているプログラム格納媒体。
【請求項３３】
記録媒体に対してAVストリームを記録する情報処理装置のプログラムであって、
複数の再生パスを構成するそれぞれの前記AVストリームを生成する符号化ステップと、
各再生パス毎の前記AVストリームの始点と、前記AVストリームのエントリーポイントの位置を示すマップ情報、並びに、前記AVストリームの始点と終点、前記マップ情報に含まれる前記エントリーポイントに含まれる再生パスの切り替え点、および、各再生パスのAVストリームを指示する指示情報を含む再生管理情報からなる管理情報を生成する管理情報生成ステップと、
前記AVストリーム、および、前記管理情報を前記記録媒体に記録する記録ステップと
をコンピュータに実行させることを特徴とするプログラム。
【請求項３４】
AVストリーム、前記AVストリームの実体を管理するマップ情報、および前記AVストリームの再生を管理する再生管理情報が記録可能な記録媒体から、前記AVストリームを再生する情報処理装置において、
前記AVストリームの、再生パスの切り替え点、および前記AVストリームの始点と終点、並びに各再生パスのAVストリームを指示する指示情報を含む前記再生管理情報を読み出すとともに、前記AVストリームの、前記始点と前記切り替え点のプレゼンテーションタイムスタンプとパケット番号との対応関係を記述した対応テーブルを含む前記マップ情報を読み出す読み出し手段と、
前記読み出し手段により読み出された前記再生管理情報に基づいて、前記記録媒体に記録されている前記AVストリームを再生する再生手段と、
再生パスの切り替えが指示された場合、切り替え元の再生パスの前記区間と、切り替え先の再生パスの前記区間とを検索する検索手段と、
切り替え元の再生パスの前記区間と、切り替え元の再生パスの前記対応テーブルに基づいて、切り替え元の再生パスの前記AVストリームの再生終了位置を取得する第１の取得手段と、
切り替え先の再生パスの前記区間と、切り替え先の再生パスの前記対応テーブルに基づいて、切り替え先の再生パスの前記AVストリームの再生開始位置を取得する第２の取得手段と、
前記再生終了位置において前記再生開始位置に再生点を移動させるよう前記再生手段を制御する制御手段と
を備えることを特徴とする情報処理装置。
【請求項３５】
AVストリーム、前記AVストリームの実体を管理するマップ情報、および、前記AVストリームの再生を管理する再生管理情報が記録可能な記録媒体から、前記AVストリームを再生する情報処理装置の情報処理方法において、
前記AVストリームの、再生パスの切り替え点、および、前記AVストリームの始点と終点、並びに各再生パスのAVストリームを指示する指示情報を含む前記再生管理情報を読み出すとともに、前記AVストリームの、前記始点と前記切り替え点のプレゼンテーションタイムスタンプと、パケット番号との対応関係を記述した対応テーブルを含む前記マップ情報を読み出す読み出しステップと、
前記読み出しステップの処理により読み出された前記再生管理情報に基づいて、前記記録媒体に記録されている前記AVストリームを再生する再生ステップと、
再生パスの切り替えが指示された場合、切り替え元の再生パスの前記区間と、切り替え先の再生パスの前記区間とを検索する検索ステップと、
切り替え元の再生パスの前記区間と、切り替え元の再生パスの前記対応テーブルに基づいて、切り替え元の再生パスの前記AVストリームの再生終了位置を取得する第１の取得ステップと、
切り替え先の再生パスの前記区間と、切り替え先の再生パスの前記対応テーブルに基づいて、切り替え先の再生パスの前記AVストリームの再生開始位置を取得する第２の取得ステップと、
前記再生終了位置において前記再生開始位置に再生点を移動させるよう前記再生ステップの処理を制御する制御ステップと
を含むことを特徴とする情報処理方法。
【請求項３６】
AVストリーム、前記AVストリームの実体を管理するマップ情報、および、前記AVストリームの再生を管理する再生管理情報が記録可能な記録媒体から、前記AVストリームを再生するプログラムであって、
前記AVストリームの、再生パスの切り替え点、および、前記AVストリームの始点と終点、並びに各再生パスのAVストリームを指示する指示情報を含む前記再生管理情報を読み出すとともに、前記AVストリームの、前記始点と前記切り替え点のプレゼンテーションタイムスタンプと、パケット番号との対応関を記述した対応テーブルを含む前記マップ情報を読み出す読み出しステップと、
前記読み出しステップの処理により読み出された前記再生管理情報に基づいて、前記記録媒体に記録されている前記AVストリームを再生する再生ステップと、
再生パスの切り替えが指示された場合、切り替え元の再生パスの前記区間と、切り替え先の再生パスの前記区間とを検索する検索ステップと、
切り替え元の再生パスの前記区間と、切り替え元の再生パスの前記対応テーブルに基づいて、切り替え元の再生パスの前記AVストリームの再生終了位置を取得する第１の取得ステップと、
切り替え先の再生パスの前記区間と、切り替え先の再生パスの前記対応テーブルに基づいて、切り替え先の再生パスの前記AVストリームの再生開始位置を取得する第２の取得ステップと、
前記再生終了位置において前記再生開始位置に再生点を移動させるよう前記再生ステップの処理を制御する制御ステップと
を含むことを特徴とするコンピュータが読み取り可能なプログラムが記録されているプログラム格納媒体。
【請求項３７】
AVストリーム、前記AVストリームの実体を管理するマップ情報、および、前記AVストリームの再生を管理する再生管理情報が記録可能な記録媒体から、前記AVストリームを再生するプログラムであって、
前記AVストリームの、再生パスの切り替え点、および、前記AVストリームの始点と終点、並びに各再生パスのAVストリームを指示する指示情報を含む前記再生管理情報を読み出すとともに、前記AVストリームの、前記始点と、前記切り替え点のプレゼンテーションタイムスタンプとパケット番号との対応関係を記述した対応テーブルを含む前記マップ情報を読み出す読み出しステップと、
前記読み出しステップの処理により読み出された前記再生管理情報に基づいて、前記記録媒体に記録されている前記AVストリームを再生する再生ステップと、
再生パスの切り替えが指示された場合、切り替え元の再生パスの前記区間と、切り替え先の再生パスの前記区間とを検索する検索ステップと、
切り替え元の再生パスの前記区間と、切り替え元の再生パスの前記対応テーブルに基づいて、切り替え元の再生パスの前記AVストリームの再生終了位置を取得する第１の取得ステップと、
切り替え先の再生パスの前記区間と、切り替え先の再生パスの前記対応テーブルに基づいて、切り替え先の再生パスの前記AVストリームの再生開始位置を取得する第２の取得ステップと、
前記再生終了位置において前記再生開始位置に再生点を移動させるよう前記再生ステップの処理を制御する制御ステップと
をコンピュータに実行させることを特徴とするプログラム。
【請求項３８】
AVストリーム、前記AVストリームの実体を管理するマップ情報、および、前記AVストリームの再生を管理する再生管理情報が記録可能な記録媒体であって、
前記再生管理情報は、前記AVストリームの、再生パスの切り替え点、および、前記AVストリームの始点と終点の情報を含み、
前記マップ情報は、前記AVストリームの、前記始点と前記切り替え点のプレゼンテーションタイムスタンプとパケット番号との対応関係を記述した対応テーブルを含む
構造を有するデータを記録したコンピュータが読み取り可能な記録媒体。
【請求項３９】
AVストリーム、前記AVストリームの実体を管理するマップ情報および、前記AVストリームの再生を管理する再生管理情報が記録可能な記録媒体であって、
前記再生管理情報は、前記AVストリームの、再生パスの切り替え点、および、前記AVストリームの始点と終点、並びに各再生パスのAVストリームを指示する指示情報を含み、
前記マップ情報は、前記AVストリームの、前記始点と前記切り替え点のプレゼンテーションタイムスタンプと、パケット番号との対応関係を記述した対応テーブルを含む
構造を有するデータを記録したコンピュータが読み取り可能な記録媒体。
【発明の詳細な説明】
【技術分野】
【０００１】
本発明は情報処理装置および方法、プログラム格納媒体、記録媒体、並びにプログラムに関し、特に、記録媒体に記録された再生パスのアドレス情報を迅速に再生することができるようにした情報処理装置および方法、プログラム格納媒体、記録媒体、並びにプログラムに関する。
【背景技術】
【０００２】
映像データや音声データなどから構成される複数のデータが記録されている記録媒体を再生するとき、AVストリームの読み出し位置の決定や復号処理を速やかに行い、所定のマークを迅速に検索する方法として、これまで、以下のような方法が知られている（例えば、特許文献１参照）。
【０００３】
その方法とは、コンテンツの実体のストリームをClip Informationにより管理し、AVストリームの再生をPlayListにより管理し、AVストリームの属性情報としての、AVストリーム中の不連続点のアドレス情報RSPN_arrival_time_discontinuity、AVストリーム中の時刻情報とアドレス情報を関連づける情報EP_map，TU_map、並びに、AVストリーム中の特徴的な画像の時刻情報ClipMarkをClip Informationに記録する方法である。
【０００４】
上述した映像データや音声データなどから構成される複数のデータが記録されている記録媒体として、特に、DVD（Digital Versatile Disc）ビデオがあり、DVDビデオのフォーマットには、マルチアングル再生が規定されている。マルチアングル再生が可能な所定の再生区間において、ユーザは、自分の嗜好に合うアングルを選択することができ、その際、記録再生装置によりアングル間の切り替えをシームレスに再生することができる。
【０００５】
図１は、DVDビデオのマルチアングルのフォーマットを説明する図である。
【０００６】
マルチアングルの再生区間は、複数の一再生区間により構成されており、その一再生区間はセル（Cell）と呼ばれる。図１の例では、マルチアングルの再生区間が、アングル１（Angle#1）乃至アングル３（Angle#3）の３つのアングルのCell#i＋1乃至Cell#i＋３により構成されている。ここで、Cellに対応する実態のAVストリームデータはVOB（Video Object）と呼ばれる。マルチアングルを構成するそれぞれのCellに対応するVOBは、図示せぬILVU(Interleaved Unit)と呼ばれる単位に分けられており、マルチアングルを構成するこれら複数のVOBは、ILVU単位に多重化される。なお、各ILVUは、Closed GOP（Group Of Pictures）から開始する。
【０００７】
DVDビデオのマルチアングルにおけるシームレスアングル変更の再生について説明する。例えば、ユーザが、アングル２、アングル１、アングル３と再生経路を切り替える時、記録再生装置は、ディスク上をジャンプしながら、ILVU1、ILVU2、ILVU3（いずれも図示せず）のデータを順次読み出して、それらを再生する。なお、各ILVUは、DSI(Data Search Information)から開始し、DSIは次の各アングルのILVUへのジャンプ先のアドレスを持つ。
【特許文献１】
特開２００２−１５８９７１号公報
【発明の開示】
【発明が解決しようとする課題】
【０００８】
しかしながら、DSIはVOBと呼ばれるAVストリームの中に埋めこまれているので、AVストリームを読み出さない限り、次に再生される各アングルデータのストア先のアドレス情報を入手することは困難であった。従って、未来に再生する各アングルデータのストア先のアドレス情報をあらかじめ先にすべて読み出す場合においては、すべてのAVストリームを読み込む必要があるために、時間がかかってしまうという課題があった。
【０００９】
本発明は、このような状況に鑑みてなされたものであり、アングルデータのストア先のアドレス情報を迅速に取得することができるようにすることを目的としている。
【課題を解決するための手段】
【００１０】
本発明の第１の情報処理装置は、複数の再生パスを構成するそれぞれのAVストリームを生成する符号化手段と、それぞれのAVストリームのエントリーポイントの位置を示すマップ情報、および、マップ情報に含まれるエントリーポイントに基づいて設定された各再生パスの切り替え点を示す再生管理情報からなる管理情報を生成する管理情報生成手段と、AVストリーム、および、管理情報を記録媒体に記録する記録手段とを備えることを特徴とする。
【００１１】
管理情報生成手段には、マップ情報として、エントリーポイントのプレゼンテーションタイムスタンプとパケット番号との対応関係を記述した対応テーブルを作成させるようにすることができる。
【００１２】
符号化手段には、再生パスごとにＡＶストリームを生成させるようにすることができるとともに、管理情報生成手段には、再生パスごとに生成されたＡＶストリームすべてについてのマップ情報、および再生管理情報を１つの対応テーブルとして生成させるようにすることができる。
【００１３】
管理情報生成手段には、再生パスごとに生成されたＡＶストリームについてのマップ情報、および再生管理情報を再生パスごとに生成させるようにすることができる。
【００１４】
管理情報生成手段により生成される管理情報には、再生パスごとに生成されたＡＶストリームそれぞれを指定する情報、および再生パスが複数存在する区間を指定する情報を含ませるようにすることができる。
【００１５】
符号化手段には、再生パスの切り替え点で始まる各区間のビデオストリームが、Iピクチャから開始するClosed GOPとなり、最初のパケットがビデオパケットになるように符号化させるようにすることができ、符号化手段により生成されたAVストリームは、トランスポートストリームに含まれるようにすることができる。
【００１６】
符号化手段には、すべての再生パスにおいて、トランスポートストリームのビデオのパケットIDを同じ値とし、かつ、オーディオのパケットIDも同じ値とさせるようにすることができる。
【００１７】
区間毎のトランスポートストリームをソースパケット化するソースパケット化手段をさらに備えさせるようにすることができ、記録手段には、ソースパケット化手段によりソースパケット化された区間毎のトランスポートストリームをAVストリームファイルとして記録媒体に記録させるようにすることができる。
【００１８】
記録手段には、AVストリームを記録媒体に記録するとき、再生パスの各区間が所定の順序になるようにインターリーブして記録させるようにすることができる。
【００１９】
記録手段には、AVストリームを記録媒体に記録するとき、同一の再生パスの複数の区間が複数個連続するように記録させるようにすることができる。
【００２０】
再生管理情報は、エントリーポイントにおいて再生パスの切り替えが可能であるか否かを示す切り替え情報を含むものとすることができる。
【００２１】
本発明の第１の情報処理方法は、複数の再生パスを構成するそれぞれのAVストリームを生成する符号化ステップと、それぞれのAVストリームのエントリーポイントの位置を示すマップ情報、および、マップ情報に含まれるエントリーポイントに基づいて設定された各再生パスの切り替え点を示す再生管理情報からなる管理情報を生成する管理情報生成ステップと、AVストリーム、および、管理情報を記録媒体に記録する記録ステップとを含むことを特徴とする。
【００２２】
本発明の第１のプログラム格納媒体に記録されているプログラムは、複数の再生パスを構成するそれぞれのAVストリームを生成する符号化ステップと、それぞれのAVストリームのエントリーポイントの位置を示すマップ情報、および、マップ情報に含まれるエントリーポイントに基づいて設定された各再生パスの切り替え点を示す再生管理情報からなる管理情報を生成する管理情報生成ステップと、AVストリーム、および、管理情報を記録媒体に記録する記録ステップとを含むことを特徴とする処理をコンピュータに実行させることを特徴とする。
【００２３】
本発明の第１のプログラムは、複数の再生パスを構成するそれぞれのAVストリームを生成する符号化ステップと、それぞれのAVストリームのエントリーポイントの位置を示すマップ情報、および、マップ情報に含まれるエントリーポイントに基づいて設定された各再生パスの切り替え点を示す再生管理情報からなる管理情報を生成する管理情報生成ステップと、AVストリーム、および、管理情報を記録媒体に記録する記録ステップとを含む処理をコンピュータに実行させることを特徴とする。
【００２４】
本発明の第２の情報処理装置は、AVストリームの、再生パスの切り替え点で区分される各区間を単位とする各再生パス毎に与えられた再生管理情報を読み出すとともに、AVストリームの、切り替え点のプレゼンテーションタイムスタンプとパケット番号との対応関係を記述した対応テーブルを含むマップ情報を読み出す読み出し手段と、読み出し手段により読み出された再生管理情報に基づいて、記録媒体に記録されているAVストリームを再生する再生手段と、再生パスの切り替えが指示された場合、切り替え元の再生パスの再生管理情報と切り替え先の再生パスの再生管理情報とを検索する検索手段と、切り替え元の再生パスの再生管理情報と、切り替え元の再生パスの対応テーブルに基づいて、切り替え元の再生パスのAVストリームの再生終了位置を取得する第１の取得手段と、切り替え先の再生パスの再生管理情報と、切り替え先の再生パスの対応テーブルに基づいて、切り替え先の再生パスのAVストリームの再生開始位置を取得する第２の取得手段と、再生終了位置において再生開始位置に再生点を移動させるよう再生手段を制御する制御手段とを備えることを特徴とする。
【００２５】
本発明の第２の情報処理方法は、AVストリームの、再生パスの切り替え点で区分される各区間を単位とする各再生パス毎に与えられた再生管理情報を読み出すとともに、AVストリームの、切り替え点のプレゼンテーションタイムスタンプとパケット番号との対応関係を記述した対応テーブルを含むマップ情報を読み出す読み出しステップと、読み出しステップの処理により読み出された再生管理情報に基づいて、記録媒体に記録されているAVストリームを再生する再生ステップと、再生パスの切り替えが指示された場合、切り替え元の再生パスの再生管理情報と切り替え先の再生パスの再生管理情報とを検索する検索ステップと、切り替え元の再生パスの再生管理情報と、切り替え元の再生パスの対応テーブルに基づいて、切り替え元の再生パスのAVストリームの再生終了位置を取得する第１の取得ステップと、切り替え先の再生パスの再生管理情報と、切り替え先の再生パスの対応テーブルに基づいて、切り替え先の再生パスのAVストリームの再生開始位置を取得する第２の取得ステップと、再生終了位置において再生開始位置に再生点を移動させるよう再生ステップの処理を制御する制御ステップとを含むことを特徴とする。
【００２６】
本発明の第２のプログラム格納媒体に記録されているプログラムは、AVストリームの、再生パスの切り替え点で区分される各区間を単位とする各再生パス毎に与えられた再生管理情報を読み出すとともに、AVストリームの、切り替え点のプレゼンテーションタイムスタンプとパケット番号との対応関係を記述した対応テーブルを含むマップ情報を読み出す読み出しステップと、読み出しステップの処理により読み出された再生管理情報に基づいて、記録媒体に記録されているAVストリームを再生する再生ステップと、再生パスの切り替えが指示された場合、切り替え元の再生パスの再生管理情報と切り替え先の再生パスの再生管理情報とを検索する検索ステップと、切り替え元の再生パスの再生管理情報と、切り替え元の再生パスの対応テーブルに基づいて、切り替え元の再生パスのAVストリームの再生終了位置を取得する第１の取得ステップと、切り替え先の再生パスの再生管理情報と、切り替え先の再生パスの対応テーブルに基づいて、切り替え先の再生パスのAVストリームの再生開始位置を取得する第２の取得ステップと、再生終了位置において再生開始位置に再生点を移動させるよう再生ステップの処理を制御する制御ステップとを含むことを特徴とする処理をコンピュータに実行させる。
【００２７】
本発明の第２のプログラムは、AVストリームの、再生パスの切り替え点で区分される各区間を単位とする各再生パス毎に与えられた再生管理情報を読み出すとともに、AVストリームの、切り替え点のプレゼンテーションタイムスタンプとパケット番号との対応関係を記述した対応テーブルを含むマップ情報を読み出す読み出しステップと、読み出しステップの処理により読み出された再生管理情報に基づいて、記録媒体に記録されているAVストリームを再生する再生ステップと、再生パスの切り替えが指示された場合、切り替え元の再生パスの再生管理情報と切り替え先の再生パスの再生管理情報とを検索する検索ステップと、切り替え元の再生パスの再生管理情報と、切り替え元の再生パスの対応テーブルに基づいて、切り替え元の再生パスのAVストリームの再生終了位置を取得する第１の取得ステップと、切り替え先の再生パスの再生管理情報と、切り替え先の再生パスの対応テーブルに基づいて、切り替え先の再生パスのAVストリームの再生開始位置を取得する第２の取得ステップと、再生終了位置において再生開始位置に再生点を移動させるよう再生ステップの処理を制御する制御ステップとをコンピュータに実行させることを特徴とする。
【００２８】
本発明の第３の情報処理装置は、複数の再生パスを構成するそれぞれのAVストリームを生成する符号化手段と、各再生パス毎のAVストリームの始点とAVストリームのエントリーポイントの位置を示すマップ情報、並びに、AVストリームの始点と終点、マップ情報に含まれるエントリーポイントに含まれる再生パスの切り替え点、および、各再生パスのAVストリームを指示する指示情報を含む再生管理情報からなる管理情報を生成する管理情報生成手段と、AVストリーム、および、管理情報を記録媒体に記録する記録手段とを備えることを特徴とする。
【００２９】
管理情報生成手段には、マップ情報として、エントリーポイントのプレゼンテーションタイムスタンプとパケット番号との対応関係を記述した対応テーブルを作成させるようにすることができる。
【００３０】
符号化手段には、再生パスごとにＡＶストリームを生成させるようにすることができるとともに、管理情報生成手段には、再生パスごとに生成されたＡＶストリームすべてについてのマップ情報、および再生管理情報を１つの対応テーブルとして生成させるようにすることができる。
【００３１】
管理情報生成手段には、再生パスごとに生成されたＡＶストリームについてのマップ情報、および再生管理情報を再生パスごとに生成させるようにすることができる。
【００３２】
管理情報生成手段により生成される管理情報は、再生パスごとに生成されたＡＶストリームそれぞれを指定する情報、および再生パスが複数存在する区間を指定する情報を含むものとすることができる。
【００３３】
符号化手段には、再生パスの切り替え点で始まる各区間のビデオストリームが、Iピクチャから開始するClosed GOPとなり、最初のパケットがビデオパケットになるように符号化させるようにすることができ、符号化手段により生成されたAVストリームは、トランスポートストリームに含まれるものとすることができる。
【００３４】
符号化手段には、各区間のビデオストリームにおいて、先頭がClosed GOPとなり、それ以降が非Closed GOPとなるように符号化させるようにすることができる。
【００３５】
区間毎のトランスポートストリームをソースパケット化するソースパケット化手段をさらに備えさせるようにすることができ、記録手段には、ソースパケット化手段によりソースパケット化された区間毎のトランスポートストリームをAVストリームファイルとして記録媒体に記録させるようにすることができる。
【００３６】
管理情報生成手段には、AVストリームファイルに対応する、マップ情報に含まれる１つの対応テーブルを生成させるようにすることができる。
【００３７】
記録手段には、AVストリームを記録媒体に記録するとき、再生パスの各区間が所定の順序になるようにインターリーブして記録させるようにすることができる。
【００３８】
記録手段には、AVストリームを記録媒体に記録するとき、同一の再生パスの複数の区間が複数個連続するように記録させるようにすることができる。
【００３９】
再生管理情報は、エントリーポイントにおいて再生パスの切り替えが可能であるか否かを示す切り替え情報を含むものとすることができる。
【００４０】
本発明の第３の情報処理方法は、複数の再生パスを構成するそれぞれのAVストリームを生成する符号化ステップと、各再生パス毎のAVストリームの始点とAVストリームのエントリーポイントの位置を示すマップ情報、並びに、AVストリームの始点と終点、マップ情報に含まれるエントリーポイントに含まれる再生パスの切り替え点、および、各再生パスのAVストリームを指示する指示情報を含む再生管理情報からなる管理情報を生成する管理情報生成ステップと、AVストリーム、および、管理情報を記録媒体に記録する記録ステップとを含むことを特徴とする。
【００４１】
本発明の第３のプログラム格納媒体に記録されているプログラムは、複数の再生パスを構成するそれぞれのAVストリームを生成する符号化ステップと、各再生パス毎のAVストリームの始点とAVストリームのエントリーポイントの位置を示すマップ情報、並びに、AVストリームの始点と終点、マップ情報に含まれるエントリーポイントに含まれる再生パスの切り替え点、および、各再生パスのAVストリームを指示する指示情報を含む再生管理情報からなる管理情報を生成する管理情報生成ステップと、AVストリーム、および、管理情報を記録媒体に記録する記録ステップとを含むことを特徴とする処理をコンピュータに実行させる。
【００４２】
本発明の第３のプログラムは、複数の再生パスを構成するそれぞれのAVストリームを生成する符号化ステップと、各再生パス毎のAVストリームの始点とAVストリームのエントリーポイントの位置を示すマップ情報、並びに、AVストリームの始点と終点、マップ情報に含まれるエントリーポイントに含まれる再生パスの切り替え点、および、各再生パスのAVストリームを指示する指示情報を含む再生管理情報からなる管理情報を生成する管理情報生成ステップと、AVストリーム、および、管理情報を記録媒体に記録する記録ステップとをコンピュータに実行させることを特徴とする。
【００４３】
本発明の第４の情報処理装置は、AVストリームの、再生パスの切り替え点、およびAVストリームの始点と終点、並びに各再生パスのAVストリームを指示する指示情報を含む再生管理情報を読み出すとともに、AVストリームの、始点と切り替え点のプレゼンテーションタイムスタンプとパケット番号との対応関係を記述した対応テーブルを含むマップ情報を読み出す読み出し手段と、読み出し手段により読み出された再生管理情報に基づいて、記録媒体に記録されているAVストリームを再生する再生手段と、再生パスの切り替えが指示された場合、切り替え元の再生パスの区間と切り替え先の再生パスの区間とを検索する検索手段と、切り替え元の再生パスの区間と、切り替え元の再生パスの対応テーブルに基づいて、切り替え元の再生パスのAVストリームの再生終了位置を取得する第１の取得手段と、切り替え先の再生パスの区間と、切り替え先の再生パスの対応テーブルに基づいて、切り替え先の再生パスのAVストリームの再生開始位置を取得する第２の取得手段と、再生終了位置において再生開始位置に再生点を移動させるよう再生手段を制御する制御手段とを備えることを特徴とする。
【００４４】
本発明の第４の情報処理方法は、AVストリームの、再生パスの切り替え点、およびAVストリームの始点と終点、並びに各再生パスのAVストリームを指示する指示情報を含む再生管理情報を読み出すとともに、AVストリームの、始点と切り替え点のプレゼンテーションタイムスタンプとパケット番号との対応関係を記述した対応テーブルを含むマップ情報を読み出す読み出しステップと、読み出しステップの処理により読み出された再生管理情報に基づいて、記録媒体に記録されているAVストリームを再生する再生ステップと、再生パスの切り替えが指示された場合、切り替え元の再生パスの区間と切り替え先の再生パスの区間とを検索する検索ステップと、切り替え元の再生パスの区間と、切り替え元の再生パスの対応テーブルに基づいて、切り替え元の再生パスのAVストリームの再生終了位置を取得する第１の取得ステップと、切り替え先の再生パスの区間と、切り替え先の再生パスの対応テーブルに基づいて、切り替え先の再生パスのAVストリームの再生開始位置を取得する第２の取得ステップと、再生終了位置において再生開始位置に再生点を移動させるよう再生ステップの処理を制御する制御ステップとを含むことを特徴とする。
【００４５】
本発明の第４のプログラム格納媒体に記録されているプログラムは、AVストリームの、再生パスの切り替え点、およびAVストリームの始点と終点、並びに各再生パスのAVストリームを指示する指示情報を含む再生管理情報を読み出すとともに、AVストリームの、始点と切り替え点のプレゼンテーションタイムスタンプとパケット番号との対応関を記述した対応テーブルを含むマップ情報を読み出す読み出しステップと、読み出しステップの処理により読み出された再生管理情報に基づいて、記録媒体に記録されているAVストリームを再生する再生ステップと、再生パスの切り替えが指示された場合、切り替え元の再生パスの区間と切り替え先の再生パスの区間とを検索する検索ステップと、切り替え元の再生パスの区間と、切り替え元の再生パスの対応テーブルに基づいて、切り替え元の再生パスのAVストリームの再生終了位置を取得する第１の取得ステップと、切り替え先の再生パスの区間と、切り替え先の再生パスの対応テーブルに基づいて、切り替え先の再生パスのAVストリームの再生開始位置を取得する第２の取得ステップと、再生終了位置において再生開始位置に再生点を移動させるよう再生ステップの処理を制御する制御ステップとを含むことを特徴とする処理をコンピュータに実行させる。
【００４６】
本発明の第４のプログラムは、AVストリームの、再生パスの切り替え点、およびAVストリームの始点と終点、並びに各再生パスのAVストリームを指示する指示情報を含む再生管理情報を読み出すとともに、AVストリームの、始点と切り替え点のプレゼンテーションタイムスタンプとパケット番号との対応関係を記述した対応テーブルを含むマップ情報を読み出す読み出しステップと、読み出しステップの処理により読み出された再生管理情報に基づいて、記録媒体に記録されているAVストリームを再生する再生ステップと、再生パスの切り替えが指示された場合、切り替え元の再生パスの区間と切り替え先の再生パスの区間とを検索する検索ステップと、切り替え元の再生パスの区間と、切り替え元の再生パスの対応テーブルに基づいて、切り替え元の再生パスのAVストリームの再生終了位置を取得する第１の取得ステップと、切り替え先の再生パスの区間と、切り替え先の再生パスの対応テーブルに基づいて、切り替え先の再生パスのAVストリームの再生開始位置を取得する第２の取得ステップと、再生終了位置において再生開始位置に再生点を移動させるよう再生ステップの処理を制御する制御ステップとをコンピュータに実行させることを特徴とする。
【００４７】
本発明の第１の記録媒体は、再生管理情報が、AVストリームの、再生パスの切り替え点、およびAVストリームの始点と終点の情報を含み、マップ情報が、AVストリームの、始点と切り替え点のプレゼンテーションタイムスタンプとパケット番号との対応関係を記述した対応テーブルを含む構造を有するデータを記録していることを特徴とする。
【００４８】
本発明の第２の記録媒体は、再生管理情報が、AVストリームの、再生パスの切り替え点、およびAVストリームの始点と終点、並びに各再生パスのAVストリームを指示する指示情報を含み、マップ情報が、AVストリームの、始点と切り替え点のプレゼンテーションタイムスタンプとパケット番号との対応関係を記述した対応テーブルを含む構造を有するデータを記録していることを特徴とする。
【００４９】
複数の再生パスを構成するそれぞれのAVストリームが生成され、それぞれのAVストリームのエントリーポイントの位置を示すマップ情報、および、マップ情報に含まれるエントリーポイントに基づいて設定された各再生パスの切り替え点を示す再生管理情報からなる管理情報が生成され、AVストリーム、および、管理情報が記録媒体に記録される。
【００５０】
AVストリームの、再生パスの切り替え点で区分される各区間を単位とする各再生パス毎に与えられた再生管理情報が読み出されるとともに、AVストリームの、切り替え点のプレゼンテーションタイムスタンプとパケット番号との対応関係を記述した対応テーブルを含むマップ情報が読み出され、読み出された再生管理情報に基づいて、記録媒体に記録されているAVストリームが再生され、再生パスの切り替えが指示された場合、切り替え元の再生パスの再生管理情報と切り替え先の再生パスの再生管理情報とが検索され、切り替え元の再生パスの再生管理情報と、切り替え元の再生パスの対応テーブルに基づいて、切り替え元の再生パスのAVストリームの再生終了位置が取得され、切り替え先の再生パスの再生管理情報と、切り替え先の再生パスの対応テーブルに基づいて、切り替え先の再生パスのAVストリームの再生開始位置が取得され、再生終了位置において再生開始位置に再生点を移動させるように再生が制御される。
【００５１】
複数の再生パスを構成するそれぞれのAVストリームが生成され、各再生パス毎のAVストリームの始点とAVストリームのエントリーポイントの位置を示すマップ情報、並びに、AVストリームの始点と終点、マップ情報に含まれるエントリーポイントに含まれる再生パスの切り替え点、および、各再生パスのAVストリームを指示する指示情報を含む再生管理情報からなる管理情報が生成され、AVストリーム、および、管理情報が記録媒体に記録される。
【００５２】
AVストリームの、再生パスの切り替え点、およびAVストリームの始点と終点、並びに各再生パスのAVストリームを指示する指示情報を含む再生管理情報が読み出されるとともに、AVストリームの、始点と切り替え点のプレゼンテーションタイムスタンプとパケット番号との対応関係を記述した対応テーブルを含むマップ情報が読み出され、読み出された再生管理情報に基づいて、記録媒体に記録されているAVストリームが再生され、再生パスの切り替えが指示された場合、切り替え元の再生パスの区間と切り替え先の再生パスの区間とが検索され、切り替え元の再生パスの区間と、切り替え元の再生パスの対応テーブルに基づいて、切り替え元の再生パスのAVストリームの再生終了位置が取得され、切り替え先の再生パスの区間と、切り替え先の再生パスの対応テーブルに基づいて、切り替え先の再生パスのAVストリームの再生開始位置が取得され、再生終了位置において再生開始位置に再生点を移動させるよう再生が制御される。
【００５３】
再生管理情報には、AVストリームの、再生パスの切り替え点、およびAVストリームの始点と終点の情報が含まれ、実体管理情報には、AVストリームの、始点と切り替え点のプレゼンテーションタイムスタンプとパケット番号との対応関係を記述した対応テーブルが含まれる構造を有するデータが記録されている。
【００５４】
再生管理情報には、AVストリームの、再生パスの切り替え点、およびAVストリームの始点と終点、並びに各再生パスのAVストリームを指示する指示情報が含まれ、実体管理情報には、AVストリームの、始点と切り替え点のプレゼンテーションタイムスタンプとパケット番号との対応関係を記述した対応テーブルが含まれる構造を有するデータが記録されている。
【発明の効果】
【００５５】
本発明によれば、AV信号を記録し、再生することができる。また、各再生パスのデータのストア先のアドレス情報を迅速に取得することができる。これにより、再生される各再生パスのストア先のアドレス情報を先読みすることが容易になる。
【発明を実施するための最良の形態】
【００５６】
以下に、図面を参照しながら本発明の実施の形態について述べる。
【００５７】
図２は、本発明を適用した記録再生装置１の内部構成を示す。
【００５８】
最初に、外部から入力された信号を記録媒体に記録する動作を行う記録部２の構成について説明する。記録再生装置１は、アナログデータ、または、デジタルデータを入力し、記録することができる構成とされている。
【００５９】
端子１１には、アナログのビデオ信号が、端子１２には、アナログのオーディオ信号が、それぞれ入力される。端子１１に入力されたビデオ信号は、解析部１４とAVエンコーダ１５に、それぞれ出力される。端子１２に入力されたオーディオ信号は、解析部１４とAVエンコーダ１５に出力される。解析部１４は、入力されたビデオ信号とオーディオ信号からシーンチェンジなどの特徴点を抽出する。
【００６０】
AVエンコーダ１５は、入力されたビデオ信号とオーディオ信号を、それぞれ符号化し、符号化ビデオストリーム(V)、符号化オーディオストリーム(A)、およびAV同期等のシステム情報(S)をマルチプレクサ１６に出力する。
【００６１】
符号化ビデオストリームは、例えば、MPEG（Moving Picture Expert Group）２方式により符号化されたビデオストリームであり、符号化オーディオストリームは、例えば、MPEG１方式により符号化されたオーディオストリームや、ドルビーAC3方式（商標）により符号化されたオーディオストリーム等である。マルチプレクサ１６は、入力されたビデオおよびオーディオのストリームを、入力システム情報に基づいて多重化して、スイッチ１７を介して多重化ストリーム解析部１８とソースパケッタイザ１９に出力する。
【００６２】
多重化ストリームは、例えば、MPEG2トランスポートストリームやMPEG2プログラムストリームである。ソースパケッタイザ１９は、入力された多重化ストリームを、そのストリームを記録させる記録媒体１００のアプリケーションフォーマットに従って、ソースパケットから構成されるAVストリームに符号化する。AVストリームは、ECC（誤り訂正）符号化部２０と変調部２１でECC符号の付加と変調処理が施され、書き込み部２２に出力される。書き込み部２２は、制御部２３から出力される制御信号に基づいて、例えば、DVDよりなる記録媒体（ディスク）１００にAVストリームファイルを書き込む（記録する）。
【００６３】
デジタルインタフェースまたはデジタルテレビジョンチューナ（いずれも図示せず）から入力されるデジタルテレビジョン放送等のトランスポートストリームは、端子１３に入力される。端子１３に入力されたトランスポートストリームの記録方式には、２通りあり、それらは、トランスペアレントに記録する方式と、記録ビットレートを下げるなどの目的のために再エンコードをした後に記録する方式である。記録方式の指示情報は、ユーザインタフェースとしての端子２４から制御部２３へ入力される。
【００６４】
入力トランスポートストリームをトランスペアレントに記録する場合、端子１３に入力されたトランスポートストリームは、スイッチ１７を介して多重化ストリーム解析部１８と、ソースパケッタイザ１９に出力される。これ以降の記録媒体１００へAVストリームが記録されるまでの処理は、上述のアナログの入力オーディオ信号とビデオ信号を符号化して記録する場合と同一の処理なので、その説明は省略する。
【００６５】
入力トランスポートストリームを再エンコードした後に記録する場合、端子１３に入力されたトランスポートストリームは、スイッチ２５からデマルチプレクサ２６に入力される。デマルチプレクサ２６は、入力されたトランスポートストリームに対してデマルチプレクス処理を施し、ビデオストリーム(V)、オーディオストリーム(A)、およびシステム情報(S)を抽出する。
【００６６】
デマルチプレクサ２６により抽出されたストリーム（情報）のうち、ビデオストリームはAVデコーダ２７に、オーディオストリームとシステム情報はマルチプレクサ１６に、それぞれ出力される。AVデコーダ２７は、入力されたビデオストリームを復号し、その再生ビデオ信号をAVエンコーダ１５に出力する。AVエンコーダ１５は、入力ビデオ信号を符号化し、符号化ビデオストリーム(V)をマルチプレクサ１６に出力する。
【００６７】
一方、デマルチプレクサ２６から出力され、マルチプレクサ１６に入力されたオーディオストリームとシステム情報、および、AVエンコーダ１５から出力されたビデオストリームは、入力システム情報に基づいて、多重化されて、多重化ストリームとして多重化ストリーム解析部１８とソースパケッタイザ１９にスイッチ１７を介して出力される。これ以後の記録媒体１００へAVストリームが記録されるまでの処理は、上述のアナログの入力オーディオ信号とビデオ信号を符号化して記録する場合と同一の処理なので、その説明は省略する。
【００６８】
本実施の形態の記録再生装置１は、AVストリームのファイルを記録媒体１００に記録すると共に、そのファイルの再生等に利用されるアプリケーションデータベース情報も記録する。アプリケーションデータベース情報は、制御部２３により作成される。制御部２３への入力情報は、解析部１４からの動画像の特徴情報、多重化ストリーム解析部１８からのAVストリームの特徴情報、および端子２４から入力されるユーザからの指示情報である。
【００６９】
解析部１４から供給される動画像の特徴情報は、AVエンコーダ１５がビデオ信号を符号化する場合において、解析部１４により生成されるものである。解析部１４は、入力ビデオ信号とオーディオ信号の内容を解析し、入力動画像信号の中の特徴的な画像に関係する情報を生成する。これは、例えば、入力ビデオ信号の中のプログラムの開始点、シーンチェンジ点やCMコマーシャルのスタート点・エンド点、タイトルやテロップを含む画像などの特徴的な画像の指示情報である。ここでは、このような指示情報をクリップマークと称する。また、クリップマークにはその画像のサムネイルが含まれていてもよい。さらにオーディオ信号のステレオとモノラルの切り換え点や、無音区間などの情報も含まれる。
【００７０】
これらの画像の指示情報は、制御部２３を介して、マルチプレクサ１６へ入力される。マルチプレクサ１６は、制御部２３からクリップマークとして指定される符号化ピクチャを多重化する時に、その符号化ピクチャをAVストリーム上で特定するための情報を制御部２３に返す。具体的には、この情報は、ピクチャのＰＴＳ（プレゼンテーションタイムスタンプ）またはその符号化ピクチャのAVストリーム上でのアドレス情報である。制御部２３は、特徴的な画像の種類とその符号化ピクチャをAVストリーム上で特定するための情報を関連付けて記憶する。
【００７１】
多重化ストリーム解析部１８からのAVストリームの特徴情報は、記録されるAVストリームの符号化情報に関係する情報であり、多重化ストリーム解析部１８により生成される。例えば、AVストリーム内のIピクチャのタイムスタンプとアドレス情報、システムタイムクロックの不連続点情報、AVストリームの符号化パラメータ、AVストリームの中の符号化パラメータの変化点情報などが含まれる。また、端子１３から入力されるトランスポートストリームをトランスペアレントに記録する場合、多重化ストリーム解析部１８は、入力トランスポートストリームの中から前出の特徴を有する画像を検出し、その種類とクリップマークで指定するピクチャを特定するための情報を生成する。
【００７２】
端子２４からのユーザの指示情報は、AVストリームの中の、ユーザが指定した再生区間の指定情報、その再生区間の内容を説明するキャラクター文字、ユーザが好みのシーンにセットするブックマークやリジューム点の情報などである。
【００７３】
制御部２３は、上記の入力情報に基づいて、AVストリームのデータベース(Clip Information)、AVストリームの再生区間(PlayItem)をグループ化したもの（PlayList）のデータベース、記録媒体１００の記録内容の管理情報(info.dvr)、およびサムネイル画像の情報を作成する。これらの情報から構成されるアプリケーションデータベース情報は、AVストリームと同様にして、ECC符号化部２０、変調部２１で処理されて、書き込み部２２へ入力される。書き込み部２２は、制御部２３から出力される制御信号に基づいて、記録媒体１００へデータベースファイルを記録する。
【００７４】
上述したアプリケーションデータベース情報についての詳細は後述する。
【００７５】
このようにして記録媒体１００に記録されたAVストリームファイル（画像データと音声データのファイル）と、アプリケーションデータベース情報が再生部３により再生される場合、まず、制御部２３は、読み出し部２８に対して、記録媒体１００からアプリケーションデータベース情報を読み出すように指示する。そして、読み出し部２８は、記録媒体１００からアプリケーションデータベース情報を読み出す。そのアプリケーションデータベース情報は、復調部２９とECC復号部３０の復調と誤り訂正処理を経て、制御部２３へ入力される。
【００７６】
制御部２３は、アプリケーションデータベース情報に基づいて、記録媒体１００に記録されているPlayListの一覧を端子２４のユーザインタフェースへ出力する。ユーザは、PlayListの一覧から再生したいPlayListを選択し、再生を指定されたPlayListに関する情報が端子２４から制御部２３に入力される。制御部２３は、そのPlayListの再生に必要なAVストリームファイルの読み出しを、読み出し部２８に指示する。読み出し部２８は、その指示に従い、記録媒体１００から対応するAVストリームを読み出し復調部２９に出力する。復調部２９に入力されたAVストリームは、所定の処理が施されることにより復調され、さらにECC復号部３０の処理を経て、ソースデパケッタイザ３１に出力される。
【００７７】
ソースデパケッタイザ３１は、記録媒体１００から読み出され、所定の処理が施されたアプリケーションフォーマットのAVストリームを、デマルチプレクサ２６が処理可能なストリームに変換する。デマルチプレクサ２６は、制御部２３により指定されたAVストリームの再生区間(PlayItem)を構成するビデオストリーム(V)、オーディオストリーム(A)、およびAV同期等のシステム情報(S)を、AVデコーダ２７に出力する。AVデコーダ２７は、ビデオストリームとオーディオストリームを復号し、再生ビデオ信号と再生オーディオ信号を、それぞれ対応する端子３２と端子３３から出力する。
【００７８】
また、ユーザインタフェースとしての端子２４から、ランダムアクセス再生や特殊再生を指示する情報が入力された場合、制御部２３は、AVストリームのデータベース(Clip Information)の内容に基づいて、記憶媒体１００からのAVストリームの読み出し位置を決定し、そのAVストリームの読み出しを、読み出し部２８に指示する。例えば、ユーザにより選択されたPlayListを、所定の時刻から再生する場合、制御部２３は、指定された時刻に最も近いタイムスタンプを持つIピクチャからのデータを読み出すように読み出し部２８に指示する。
【００７９】
また、アプリケーションデータベース情報を構成するAVストリームのデータベースに、AVストリーム（Clip）に付属して記録されているClip Informationの中のクリップマーク（ClipMark）にストアされている番組の頭出し点やシーンチェンジ点の中から、ユーザがあるクリップマークを選択した時（例えば、この動作は、ClipMarkにストアされている番組の頭出し点やシーンチェンジ点のサムネイル画像リストをユーザインタフェースに表示して、ユーザが、その中からある画像を選択することにより行われる）、制御部２３は、Clip Informationの内容に基づいて、記録媒体１００からのAVストリームの読み出し位置を決定し、そのAVストリームの読み出しを読み出し部２８へ指示する。すなわち、ユーザが選択した画像がストアされているAVストリーム上でのアドレスに最も近いアドレスにあるIピクチャからのデータを読み出すように読み出し部２８へ指示する。読み出し部２８は、指定されたアドレスからデータを読み出し、読み出されたデータは、復調部２９、ECC復号部３０、ソースデパケッタイザ３１の処理を経て、デマルチプレクサ２６へ入力され、AVデコーダ２７で復号されて、マーク点のピクチャのアドレスで示されるAVデータが再生される。
【００８０】
また、ユーザによって高速再生(Fast-forward playback)が指示された場合、制御部２３は、AVストリームのデータベース(Clip Information)に基づいて、AVストリームの中のIピクチャデータを順次連続して読み出すように読み出し部２８に指示する。
【００８１】
読み出し部２８は、Iピクチャが記録されている位置として指定されたランダムアクセスポイントからAVストリームのデータを読み出し、読み出されたデータは、後段の各部の処理を経て再生される。
【００８２】
次に、ユーザが、記録媒体１００に記録されているAVストリームの編集をする場合を説明する。ユーザが、記録媒体１００に記録されているAVストリームの再生区間を指定して新しい再生経路（新しいPlayList）を作成したい場合、例えば、番組Aという歌番組から歌手Aの部分を再生し、その後続けて、番組Ｂという歌番組の歌手Aの部分を再生したいといった再生経路を作成したい場合、ユーザインタフェースとしての端子２４から再生区間の開始点（イン点）と終了点（アウト点）の情報が制御部２３に入力される。制御部２３は、AVストリームの再生区間(PlayItem)をグループ化したもの（PlayList）のデータベースを作成する。
【００８３】
ユーザが、記録媒体１００に記録されているAVストリームの一部を消去したい場合、ユーザインタフェースとしての端子２４から消去区間のイン点とアウト点の情報が制御部２３に入力される。制御部２３は、必要なAVストリーム部分だけを参照するようにPlayListのデータベースを変更する。また、AVストリームの不必要なストリーム部分を消去するように、書き込み部２２に指示する。
【００８４】
ユーザが、記録媒体１００に記録されているAVストリームの再生区間を指定して新しい再生経路を作成したい場合であり、かつ、それぞれの再生区間をシームレスに接続したい場合について説明する。このような場合、制御部２３は、AVストリームの再生区間(PlayItem)をグループ化したもの（PlayList）のデータベースを作成し、さらに、再生区間の接続点付近のビデオストリームの部分的な再エンコードと再多重化を行う。
【００８５】
まず、端子２４から再生区間のイン点のピクチャの情報と、アウト点のピクチャの情報が制御部２３へ入力される。制御部２３は、読み出し部２８にイン点側ピクチャとアウト点側のピクチャを再生するために必要なデータの読み出しを指示する。そして、読み出し部２８は、記録媒体１００からデータを読み出し、そのデータは、復調部２９、ECC復号部３０、ソースデパケッタイザ３１を経て、デマルチプレクサ２６に出力される。
【００８６】
制御部２３は、デマルチプレクサ２６に入力されたデータを解析して、ビデオストリームの再エンコード方法（picture_coding_typeの変更、再エンコードする符号化ビット量の割り当て）と、再多重化方式を決定し、その方式をAVエンコーダ１５とマルチプレクサ１６に供給する。
【００８７】
次に、デマルチプレクサ２６は、入力されたストリームをビデオストリーム(V)、オーディオストリーム(A)、およびシステム情報(S)に分離する。ビデオストリームは、AVデコーダ２７に入力されるデータとマルチプレクサ１６に入力されるデータがある。前者のデータは、再エンコードするために必要なデータであり、これはAVデコーダ２７で復号され、復号されたピクチャはAVエンコーダ１５で再エンコードされて、ビデオストリームにされる。後者のデータは、再エンコードをしないで、オリジナルのストリームからコピーされるデータである。オーディオストリーム、システム情報については、直接、マルチプレクサ１６に入力される。
【００８８】
マルチプレクサ１６は、制御部２３から入力された情報に基づいて、入力ストリームを多重化し、多重化ストリームを出力する。多重化ストリームは、ECC符号化部２０、変調部２１で処理されて、書き込み部２２に入力される。書き込み部２２は、制御部２３から供給される制御信号に基づいて、記録媒体１００にAVストリームを記録する。
【００８９】
以下に、アプリケーションデータベース情報や、その情報に基づく再生、編集といった操作に関する説明をする。図３は、本発明の実施の形態において用いられる記録媒体１００上のアプリケーションフォーマットの構造を簡単に表す。
【００９０】
アプリケーションフォーマットは、AVストリームの管理のためにPlayListとClipの２つのレイヤをもつ。Volume Informationは、ディスク内のすべてのClipとPlayListの管理をする。ここでは、１つのAVストリームとその付属情報のペアを１つのオブジェクトと考え、それをClipと称する。AVストリームファイルはClip AV stream fileと称し、その付属情報は、Clip Information fileと称する。
【００９１】
１つのClip AV stream fileは、MPEG2トランスポートストリームをアプリケーションフォーマットによって規定される構造に配置したデータをストアする。一般的に、ファイルは、バイト列として扱われるが、Clip AV stream fileのコンテンツは、時間軸上に展開され、Clipの中のエントリーポイント（Iピクチャ）は、主に時間ベースで指定される。所定のClipへのアクセスポイント（エントリーポイントを含む）のタイムスタンプが与えられた時、Clip Information fileは、Clip AV stream fileの中でデータの読み出しを開始すべきアドレス情報を見つけるために役立つ。
【００９２】
PlayListについて、図３を参照して説明する。PlayListは、Clipの中からユーザが見たい再生区間を選択し、それを簡単に編集することができるようにするために設けられている。１つのPlayListは、Clipの中の再生区間の集まりである。所定のClipの中の１つの再生区間は、PlayItemと呼ばれ、それは、時間軸上のイン点（IN）とアウト点（OUT）の対で表される。従って、PlayListは、１以上のPlayItemが集まることにより構成される。
【００９３】
PlayListには、２つのタイプがある。１つは、Real PlayListであり、もう１つは、Virtual PlayListである。Real PlayListは、それが参照しているClipのストリーム部分を共有している。すなわち、Real PlayListは、それの参照しているClipのストリーム部分に相当するデータ容量をディスクの中で占め、Real PlayListが消去された場合、それが参照しているClipのストリーム部分もまたデータが消去される。
【００９４】
Virtual PlayListは、Clipのデータを共有していない。従って、Virtual PlayListが変更または消去されたとしても、Clipの内容には何も変化が生じない。
【００９５】
DVR MPEG-2 トランスポートストリームについて説明する。図４は、AVストリームファイルの構造を示す。
【００９６】
AVストリームファイルは、DVR MPEG2トランスポートストリームの構造を持つ。DVR MPEG2トランスポートストリームは、整数個のアラインユニット（Aligned unit）から構成される。Aligned unitの大きさは、6144 バイト (2048×3 バイト)である。Aligned unitは、ソースパケットの第１バイト目から始まる。ソースパケットは、192バイト長である。１つのソースパケットは、TP_extra_headerとトランスポートパケットから成る。TP_extra_headerは、４バイト長であり、またトランスポートパケットは、188バイト長である。
【００９７】
１つのAligned unitは、３２個のソースパケットから成る。DVR MPEG２トランスポートストリームの中の最後のAligned unitも、また３２個のソースパケットから成る。よって、DVR MPEG2トランスポートストリームは、Aligned unitの境界で終端する。記録媒体（ディスク）１００に記録される入力トランスポートストリームのトランスポートパケットの数が３２の倍数でない時、ヌルパケット（PID=0x1FFFのトランスポートパケット）を持ったソースパケットが最後のAligned unitに使用される。ファイルシステム（制御部２３）は、DVR MPEG２トランスポートストリームに余分な情報（有効情報）は付加しない。
【００９８】
図５は、マルチアングルにおいてシームレス（再生画像または音声が、アングル切り替え時に途絶えることなく）にアングルを変更して再生を行うことができるようにするために、本発明において採用される構成を示す。
【００９９】
例えば、マルチアングル区間の中に３つのアングルAngle#1，Angle#2，およびAngle#3があるとする。このとき、それぞれのアングルが１つのPlayListを構成する。図５の例の場合、Angle#1，Angle#2，およびAngle#3は、PlayList#1，PlayList#２，およびPlayList#３により、それぞれ構成されている。Angle#1，Angle#2，およびAngle#3の再生区間に対応するAVストリームデータを、それぞれ、Clip1（Clip AV stream１），Clip2（Clip AV stream２），およびClip3（Clip AV stream３）とする。
【０１００】
また、図５の例の場合、再生区間は、１つのアングルから他のアングルに移行可能なタイミングの位置（アングル切り替え点）で、異なるPlayItemに分けられる。例えば、Angle#1の再生区間を３つに区分するとき、PlayList#1は、各再生区間a1，a2，およびa3に対応して、３つのPlayItemで構成され、それぞれの再生区間a1，a2，およびa3に対応するClip1のAVストリームデータがA1，A2，およびA3とされる。Angle#2の再生区間を３つに区分するとき、PlayList#2は、各再生区間b1，b2，およびb3に対応して、３つのPlayItemで構成され、それぞれの再生区間b1，b2，およびb3に対応するClip2のAVストリームデータがB1，B2，およびB3とされる。Angle#3の再生区間を３つに区分するとき、PlayList#3は、各再生区間c1，c2，およびc3に対応して、３つのPlayItemで構成され、それぞれの再生区間c1，c2，およびc3に対応するClip3のAVストリームデータがC1，C2，およびC3とされる。
【０１０１】
再生区間a1，b１，およびc1のPlayItemは、同じイン点（IN_time）とアウト点（OUT_time）の組を持ち、例えば、IN_timeはT1であり、OUT_timeはT2である。同様に、再生区間a2，b2 ，およびc2のPlayItemは、同じイン点（IN_time）とアウト点（OUT_time）の組を持ち、例えば、IN_timeはT2であり、OUT_timeはT3である。さらに、再生区間a3，b3，およびc3のPlayItemは、同じイン点（IN_time）とアウト点（OUT_time）の組を持ち、例えば、IN_timeはT3であり、OUT_timeはT4である。この場合、T1，T2，T3，およびT4は、それぞれAVストリーム上のPTS (Presentation Time Stamp)を示す。なお、T1，T2，T3，T4を等間隔にしても良い。
【０１０２】
図６のフローチャートを参照して、マルチアングルにおいてシームレスにアングルを変更する場合の基本的な処理について説明する。
【０１０３】
ステップＳ１において、制御部２３は、ユーザからいま再生しているアングルを切り替えるように指示されたか否かを判定する。アングルの変更が指示されていないと判定された場合、ステップＳ２に進み、制御部２３は、ユーザにより再生の終了が指示されたか否かを判定する。再生の終了が指示されたと判定された場合、処理は終了される。
【０１０４】
ステップＳ２において、終了が指示されていないと判定された場合、処理は、ステップＳ１に戻り、それ以降の処理が繰り返される。ステップＳ１において、アングルを切り替えるように指示されたと判断された場合、ステップＳ３において、制御部２３は、再生位置がアングル切り替え点であるか否かを判定する。現在の位置がアングル切り替え点ではない場合、制御部２３は、再生位置がアングル切り替え点に達するまで待機する。
【０１０５】
ステップＳ３において、再生位置がアングル切り替え点に達したと判定された場合、制御部２３は、ステップＳ４において、再生位置を、指定されたアングルのPlayItemで規定されるAVストリームの先頭の位置に移行（ジャンプ）させる。そして、そのAVストリームのデータが再生される。その後、処理はステップＳ１に戻り、それ以降の処理が繰り返される。
【０１０６】
このようにして、図５の例では、Angle#1の再生区間に対応するClip AV stream1のAVストリームデータA1が再生され、Angle#２の再生区間に対応するClip AV stream２のAVストリームデータB2が再生され、次に、Angle#３の再生区間に対応するClip AV stream３のAVストリームデータC3が順次再生される。
【０１０７】
各PlayItemの先頭アドレスと終了アドレスの情報、並びにデータサイズ（バイト量）の情報は、各ClipのClip Information fileから得られる。
【０１０８】
図７は、Clip Information fileのデータ内容を示す。
【０１０９】
AVストリームデータA1，B1，およびC1の中のそれぞれのビデオストリームデータは、Sequence headerから始まるClosed GOPから開始する。それぞれの表示開始のタイムスタンプはT1で、同一であり、また、それぞれの表示期間も(T1-T2)で、同一である。なお、Closed GOPとは、１つの区間内（例えば、再生区間a1，b１，およびc1）で閉じているGOPであり、その区間内で完結するように符号化されている。勿論、各区間内で完結するように符号化されてさえいれば、すなわち、ある１つの区間（例えば、再生区間a1）とそれ以外の他の区間（例えば、再生区間b1）との間において、予測の関係がなければ、GOPでなくてもよい。
【０１１０】
また、AVストリームデータA2，B2，およびC2についても、それぞれのビデオストリームデータは、Sequence headerから始まるClosed GOPから開始し、それぞれの表示開始のタイムスタンプはT2で同一あり、それぞれの表示期間も(T2-T3)で同一である。
【０１１１】
さらに、AVストリームデータA3，B3，およびC3について、それぞれのビデオストリームデータは、Sequence headerから始まるClosed GOPから開始し、それぞれの表示開始のタイムスタンプはT3で同一であり、それぞれの表示期間も(T3-T4)で同一である。なお、AVストリームデータA1，B1，C1，A2，B2，C2，A3，B3，およびC3のすべてのビデオストリームデータにおいて、Closed GOPの最初に表示されるピクチャはＩピクチャである。
【０１１２】
AVストリームデータA1，B1，およびC1の中のオーディオストリームデータは、それぞれ同一であり、また、AVストリームデータA2，B2，およびC2の中のオーディオストリームデータも、それぞれ同一であり、さらに、AVストリームデータA3，B3，およびC3の中のオーディオストリームデータも、それぞれ同一である。
【０１１３】
AVストリームデータA1，B1，およびC1には、ビデオパケットとオーディオパケットが含まれるが、それぞれの先頭パケットは、ビデオパケットとされ、そのペイロードはSequence headerとGOPヘッダから始まるIピクチャで開始する。AVストリームデータA2，B2，およびC2のそれぞれの先頭パケットも、ビデオパケットであり、そのペイロードはSequence headerとGOPヘッダから始まるIピクチャで開始する。AVストリームデータA3，B3，およびC3のそれぞれの先頭パケットも、ビデオパケットであり、そのペイロードはSequence headerとGOPヘッダから始まるIピクチャで開始する。
【０１１４】
なお、AVストリームデータA1，B1，およびC1のそれぞれは、PAT（Program Association Table），PMT（Program Map Table）などの制御情報からなるパケットから開始して、それに続く最初のエレメンタリストリームのパケットをビデオパケットとしても良い。
【０１１５】
また、Clip Information fileは、Clipの中のエントリーポイントのタイムスタンプと、Clip AVストリームファイルの中でストリームのデコードを開始すべきソースパケット番号との対応関係を記述したマップであるEP_mapを有する。なお、ソースパケット番号とは、AVストリームファイルの中のソースパケット（図４）の順番に１ずつインクリメントする番号であり、ファイルの先頭のソースパケット番号がゼロとされる。
【０１１６】
AVストリームデータA1，A2，およびA3のそれぞれの先頭のパケット番号をx1，x2，およびx3とし、AVストリームデータB1，B2，およびB3のそれぞれの先頭のパケット番号をy1，y2，およびy3とし、さらに、AVストリームデータC1，C2，およびC3のそれぞれの先頭のパケット番号をz1，z2，およびz3とすると、各ClipInformation1，2，3のEP_mapは図7に示す内容になる。
【０１１７】
Clip AV stream1のClip Information1のEP_mapにおいて、それぞれ番号x1，x2，およびx3によって指されるソースパケットのペイロードは、タイムスタンプがT1,T2,およびT3の表示開始時刻を持つＩピクチャから開始する。
【０１１８】
Clip AV stream2のClip Information２のEP_mapにおいて、それぞれ番号y1，y2，およびy3によって指されるソースパケットのペイロードは、タイムスタンプがT1,T2,およびT3の表示開始時刻を持つＩピクチャから開始する。
【０１１９】
Clip AV stream3のClip Information３のEP_mapにおいて、それぞれ番号z1，z2，およびz3によって指されるソースパケットのペイロードは、タイムスタンプがT1,T2,およびT3の表示開始時刻を持つＩピクチャから開始する。
【０１２０】
次に、図８のフローチャートを参照して、Angle#1の第１のPlayItemで規定される再生区間 a1，Angle#2の第２のPlayItemで規定される再生区間 b2，Angle#3の第３のPlayItemで規定される再生区間 c3を、アングルを切り替えて再生する場合を例として、EP_mapを使用してデータの読み出しアドレスを決定する処理について説明する。
【０１２１】
ステップＳ２１において、再生経路を変更する処理が行われる。すなわち、制御部２３は、Angle#1の第１のPlayItemで規定される再生区間a1に対応する再生区間のAVストリームデータA1を読み出すために、Clip1のEP_mapから、AVストリームデータA1の読み出し開始アドレスと読み出し終了アドレスを取得する。制御部２３は、ステップＳ２２において、EP_mapから、AVストリームデータA1の読み出し開始アドレスとしてタイムスタンプT1に対応するソースパケット番号x1を読み取り、AVストリームデータA1の読み出し終了アドレスとして、タイムスタンプT2に対応するソースパケット番号x2を読み取り、さらにソースパケット番号x2の直前のソースパケット番号(x2-1) を決定する。
【０１２２】
ステップＳ２３において、制御部２３は、Angle#2の第２のPlayItemで規定される再生区間b2に対応する再生区間のAVストリームデータB2を読み出すために、Clip2のEP_mapから、AVストリームデータB2の読み出し開始アドレスT2と読み出し終了アドレスT3を取得する。ステップＳ２４において、制御部２３は、AVストリームデータB2の読み出し開始アドレスとして、タイムスタンプT2に対応するソースパケット番号y2を決定し、AVストリームデータB2の読み出し終了アドレスとして、タイムスタンプT3に対応するソースパケット番号y3の直前のソースパケット番号(y3-1)を決定する。
【０１２３】
ステップＳ２５において、制御部２３は、Angle#3の第３のPlayItemで規定される再生区間 c3に対応する再生区間のAVストリームデータC3を読み出すために、Clip3のEP_mapから、AVストリームデータC3の読み出し開始アドレスT3と読み出し終了アドレスT4を取得する。ステップＳ２６において、AVストリームデータC3の読み出し開始アドレスとして、タイムスタンプT3に対応するソースパケット番号z3を決定し、AVストリームデータC3の読み出し終了アドレスとして、Clip3の最後のソースパケット番号を決定する。
【０１２４】
図９は、Clipsを多重化してディスク上に記録する方法を説明する図である。
【０１２５】
なお、マルチアングルを構成する各アングルの各PlayItemに対応するAVストリームデータを記録媒体１００に記録するとき、図９に示されるように、A1，B1，C1，A2，B2，C2，A3，B3，C3のように、各アングルのAVストリームデータを所定区間のデータ片に分割してから、それぞれをインターリーブして記録することが望ましい。これにより、PlayItem毎にアングル切り替えする時のジャンプ時間を最小にすることができる。
【０１２６】
図１０は、Clipsを多重化してディスク上に記録する他の方法を説明する図である。
【０１２７】
マルチアングルを構成する各アングルの各PlayItemに対応するAVストリームデータを記録媒体１００に記録するとき、図１０に示されるように、例えば、A1，A2，A3，B1，B2，B3，C1，C2，C3のように、同一のアングルのAVストリームデータのうちの複数（図１０の例の場合、３個）の連続するデータごとに（例えば、「A1，A2，A3」，「B1，B2，B3」，「C1，C2，C3」ごとに）、各アングルのAVストリームデータをインターリーブして記録する。なお、図１０に示されるようにインターリーブされて記録されたAVストリームデータをアングルを切り替えて再生する場合、アングル切り替え点のアドレス（例えば、図１１のAVストリームデータA1，A2，A3，・・・の読み出し開始アドレスとしてのタイムスタンプT1，T2，T3，・・・に対応するソースパケット番号x1，x2，x3，・・・）は、図１１に示されるように、図７の場合と同様にして、各AVストリームのEP_mapから取得される。
【０１２８】
これにより、図９の例の場合に比べて、PlayItem毎にアングル切り替えする時のジャンプ時間は大きくなるが、断片化されるファイルデータの管理データのデータ量を減らすことができる。例えば、図１０の例の場合、断片化されるファイルデータの管理データのデータ量を、図９の例の場合に比べて１/３にすることが可能である。
【０１２９】
従って、マルチアングルのAVストリームデータを記録媒体（ディスク）１００に記録する場合において、ユーザは、記録媒体１００を再生するときのドライブのアクセス速度とファイルデータの管理データ量のどちらを優先するかに応じて、図９および図１０を用いて説明したClipsを多重化して記録する方法を予め選択し、選択された所定の記録方法により各アングルのAVストリームデータをインターリーブして記録することができる。
【０１３０】
なお、図１１の例の場合、EP_mapにエントリーされているエントリーポイントがすべてアングル切り替え点となっているが、EP_mapにエントリーされているエントリーポイントのうち、アングル切り替え点ではないエントリーポイントを含む場合、図１２に示されように、EP_mapのエントリーポイント毎に、それがアングル切り替え点であるかどうかを示すフラグをEP_mapに記録するようにしてもよい。
【０１３１】
図１２に示されるように、Clip1（Clip AV stream１）のEP_map（図１２のEP_map of Clip Information1）の各エントリーポイントは、is_AngleChange_point, PTS_EP_startとSPN_EP_startのフィールドデータを持つ。
【０１３２】
is_AngleChange_pointは、そのエントリーポイントでアングル切り替え可能であるかどうかを示す。SPN_EP_startは、そのエントリーポイントのパケット番号を示す。PTS_EP_startは、そのエントリーポイントの表示開始時刻を示す。
【０１３３】
例えば、SPN_EP_startがx1, x2,またはx3であるエントリーポイントは、アングルを切り替えることができるので、それらのis_AngleChange_pointは「１」とされる。また、SPN_EP_startがx11, x12であるエントリーポイントは、アングルを切り替えることができないので、それらのis_AngleChange_pointは「０」とされる。換言すれば、is_AngleChange_pointは、is_AngleChange_pointが「０」であるエントリーポイントでアングル切り替えをしたとしても、シームレスな切り替えが保証されないこと、すなわち、AVストリームデータを所定のビットレートで連続供給できることを保証されないということを意味している。
【０１３４】
なお、Clip2（Clip AV stream2）のEP_map（図１２のEP_map of Clip Information2）についても同様であり、SPN_EP_startがy1, y2,またはy3であるエントリーポイントは、アングルを切り替えることができるので、それらのis_AngleChange_pointは「１」とされる。
【０１３５】
また、Clip3（Clip AV stream3）のEP_map（図１２のEP_map of Clip Information3）についても同様であり、SPN_EP_startがz1, z2,またはz3であるエントリーポイントは、アングルを切り替えることができるので、それらのis_AngleChange_pointは「１」とされる。
【０１３６】
図１０に示されるようにインターリーブされて記録されたAVストリームデータをアングルを切り替えて再生する場合、アングル切り替え点のアドレス（例えば、図１２のAVストリームデータA1，A2，A3，・・・の読み出し開始アドレスとしてのタイムスタンプT1，T2，T3，・・・に対応するソースパケット番号x1，x2，x3，・・・）は、図１２に示されるように、図７の場合と同様にして、各AVストリームのEP_mapから取得される。
【０１３７】
次に、図１３のフローチャートを参照して、マルチアングルに用いるAV信号を記録媒体１００に記録する処理について説明する。
【０１３８】
ステップＳ４１において、制御部２３は、マルチアングルを構成する各アングルの区間を、複数の所定の区間に区切ることを、ユーザインタフェース２４を介してユーザに指示する。ユーザはこの指示に基づいて、各アングルの全体の区間を切り替え点に区分する指令を入力する。制御部２３は、この指令を取得する。ステップＳ４２において、AVエンコーダ１５は、区分された各区間毎のビデオ信号を、Closed GOPから開始するビデオストリームにエンコードするとともに、各区間毎のオーディオ信号をオーディオストリームにエンコードする。このエンコード処理は、すべてのアングルのビデオ信号とオーディオ信号について行われる。
【０１３９】
マルチプレクサ１６は、ステップＳ４３において、各区間毎のビデオストリームとオーディオストリームを、各区間毎のトランスポートストリームに多重化し、ステップＳ４４において、各アングルのAVストリームデータのデータ片を、例えば、A1，B1，C1，A2，B2，C2，A3，B3，C3のようにインターリーブする。マルチプレクサ１６により、最初のパケットがビデオパケットになるように多重化が行われ、そのビデオパケットは、Closed GOPのIピクチャから開始する。
【０１４０】
ステップＳ４５において、ソースパケッタイザ１９は、所定の区間毎のトランスポートストリームをソースパケット化し、書き込み部２２は、AVストリームファイルとして記録媒体１００に記録する。これにより、ソースパケット化され記録されたトランスポートストリームから成る各アングル毎のClip AV stream fileが、記録媒体１００上に生成される。なお、全てのアングルにおいて、トランスポートストリームのビデオのパケットID（PID）は、同一とされる。オーディオのパケットIDも同一とされる。
【０１４１】
ステップＳ４６において、多重化ストリーム解析部１８は、各区間毎のトランスポートストリームの先頭のIピクチャのタイムスタンプと、ペイロードがIピクチャから開始するパケットのパケット番号を取得する。制御部２３は、タイムスタンプ とパケット番号の組をEP_mapに追加する（EP_mapがないときは生成される）。
【０１４２】
ステップＳ４７において、制御部２３は、書き込み部２２を制御し、Clip AV stream file 毎に生成されたEP_mapを記録媒体１００の所定の領域に、まとめて（集中して）記録させる。
【０１４３】
ステップＳ４８において、制御部２３は、PlayListを生成し、ステップＳ４９で書き込み部２２を制御し、所定の区間がPlayItemの形式で表され、そのようなデータ構造を持つPlayListファイルを、記録媒体１００の所定の領域にまとめて（集中して）記録させる。なお、図１２に示されるように、EP_mapにエントリーされているエントリーポイントのうち、アングル切り替え点ではないエントリーポイントを含む場合、ステップＳ４８において制御部２３がPlayListを生成するとき、図１２に示されるEP_mapのフラグ（「１」と「０」）に基づいてアングル切り替え点を設定する。
【０１４４】
次に、図１４のフローチャートを参照して、以上のようにして記録されたマルチアングルのAVストリームデータを再生する処理について説明する。
【０１４５】
ステップＳ６１において、制御部２３は、記録媒体１００からマルチアングルを構成するすべてのPlayList filesと、それぞれのPlayListが参照するClipのClip Information file(EP_mapを含む)を読み出す。すなわち、先読みが行われる。EP_mapはまとめて記録されているため、迅速に読み出すことができる。
【０１４６】
ステップＳ６２において、制御部２３は、ステップＳ６１の処理で読み出したPlayListに基づいて、AVストリームデータをその先頭のPlayItemで規定される位置から順次再生する。ステップＳ６３において、制御部２３は、ユーザが、ユーザインタフェース２４を介して、アングルの切り替えを指示したか否かを判定する。アングル切り替えが指示されていないと判定された場合、ステップＳ６４において、制御部２３は、再生の終了がユーザにより指示されたか否かを判定する。終了が指示されたと判定された場合、処理が終了されるが、指示されていないと判定された場合、処理はステップＳ６３に戻る。
【０１４７】
ステップＳ６３において、アングルを切り替えることが指示されたと判定された場合、ステップＳ６５において、制御部２３は、切り替え元の（現在再生中の）アングルに対応するPlayListの中で、現在の再生時刻に最も近い未来の表示終了時刻を持つ第１のPlayItemを検索する。例えば、図５の例において、タイムスタンプがT1からT2の間に、Angle#1からAngle#2へ変更が指示された場合、PlayItem a1が目的の第１のPlayItemである。ステップＳ６６において、制御部２３は、切り替え先のアングルに対応するPlayListの中で、上記第１のPlayItemの表示終了時刻を、表示開始時刻に持つ第２のPlayItemを検索する。例えば、図５の例において、タイムスタンプがT1からT2の間に、Angle#1からAngle#2へ変更が指示された場合、PlayItem b2が目的の第２のPlayItemである。
【０１４８】
ステップＳ６７において、制御部２３は、第１のPlayItemが参照するClipのEP_mapを参照して、第１のPlayItemの表示終了時刻に対応するソースパケット番号を取得し、そのソースパケット番号の直前のソースパケットを切り替え元のアングルのデータ読み出し終了点とする。
【０１４９】
ステップＳ６８において、制御部２３は、第２のPlayItemが参照するClipのEP_mapを参照して、第２のPlayItemの表示開始時刻に対応するソースパケット番号を取得し、そのソースパケット番号のソースパケットを切り替え先のアングルのデータ読み出し開始点とする。
【０１５０】
ステップＳ６９において、制御部２３は、現在の再生位置が、ステップＳ６７の処理で演算された終了点であるか否かを判定する。現在の再生位置が終了点でない場合、終了点となるまで待機し、終了点に達したとき、ステップＳ７０に進み、制御部２３は、ステップＳ６８の処理で演算された開始点に再生位置をジャンプさせる。その後、処理はステップＳ６３に戻り、それ以降の処理が繰り返される。
【０１５１】
図１５は、マルチアングルを構成するPlayListの他の例を示している。
【０１５２】
図１５の例の場合、マルチアングルのPlayListは１個とされ、その中のPlayItemも１個とされる。PlayItemは、例えば、3つの情報を持つ。１つ目の情報は、マルチアングル再生で使用するAVストリームの参照先の情報（指示情報）であり、例えば、図１５の例の場合、Clip AV stream1，Clip AV stream2，Clip AV stream3が参照先とされる。従って、指示情報（ポインタ）は、それらを指示する情報となる。２つ目の情報は、マルチアングル再生の時間区間を表すところのイン点（IN_time）とアウト点（OUT_time）であり、図１５の例の場合、IN_time=T1とOUT_time=T4である。３つ目の情報は、マルチアングル再生の時間区間の中で、アングル切り替え点を示すエントリーポイントの時刻であり、図１５の例の場合、T2とT3である。
【０１５３】
図１６は、図１５におけるPlayItemのシンタクスを示す。Clip_information_file_nameがマルチアングル再生で使用するAVストリームの参照先であり、IN_timeとOUT_timeがマルチアングル再生の時間区間であり、entry_time[i]がマルチアングル再生の時間区間の中で、アングル切り替えできるエントリーポイントの時刻である。勿論、図１５と図１６のPlayItemの場合も、時間からデータアドレスへの変換のためには、図７で説明した３個のEP_mapがすべてそのまま使用される。
【０１５４】
PlayListとPlayItemを図１５と図１６に示されるように構成した場合における、マルチアングルに使うAV信号を記録媒体１００に記録する処理は、図１３のフローチャートに示される場合と同様であるので、その説明は省略する。但し、この例の場合、ステップＳ４８において生成され、ステップＳ４９において記録されるPlayListは、アングル切り替えできるエントリーポイントの時刻がentry_time[i]で表されるデータ構造を持つPlayListファイルである。
【０１５５】
さらに、この例における、記録されたマルチアングルを再生する再生処理１は、図１７に示されるようになる。そのステップＳ９１乃至Ｓ１００の処理は、基本的には、図１４のステップＳ６１乃至Ｓ７０の処理と同様である。但し、ステップＳ９５において、制御部２３は、第１のPlayItemではなく、PlayItem中の第１の再生区間を検出し、ステップＳ９６において、第２のPlayItemでなく、PlayItem中の第２の再生区間を検出する。例えば、図１５の例の場合において、タイムスタンプがT1からT2までの間に、Angle#1からAngle#2へのアングルの変更が指示された場合、第１の再生区間は再生区間a1となり、第２の再生区間は再生区間b2となる。
【０１５６】
また、ステップＳ９７において、制御部２３は、第１の再生区間に対応する区間が参照するClipのEP_mapを参照して、第１の再生区間に対応する区間の表示終了時刻に対応するソースパケット番号を取得し、ステップＳ９８において、第２の再生区間に対応する区間が参照するClipのEP_mapを参照して、第２の再生区間に対応する区間の表示開始時刻に対応するソースパケット番号を取得する。その他の処理は、図１４における場合と同様であるので、その説明は省略する。なお、シームレスであることを保証しないノンシームレスの信号をシームレスの信号とマルチアングル内で混在させてもよい。
【０１５７】
図１８は、AVストリームファイルの他の構造の例を示す。図７と図１５の場合においては、Clip AV stream1, Clip AV stream2,およびClip AV stream3に、それぞれ、EP_map（図７の例の場合、Clip AV stream1のClip Information1のEP_map、Clip AV stream2のClip Information2のEP_map、およびClip AV stream3のClip Information3のEP_map）を付属させるようにしているが、図１８の場合、例えば、３つのClip AV stream（すなわち、Clip AV stream1, Clip AV stream2,およびClip AV stream3）に対して１つのEP_mapを付属させるようにしている。
【０１５８】
図１８の例では、AVストリームファイルは、データ片A1，B1，C1,A2，B2，C2,A3，B3，C3の順番にインターリーブされている。AVストリームファイルにおけるソースパケット番号は、各Clip AV stream（Clip AV stream1, Clip AV stream2,およびClip AV stream3）ごとに、AVストリームファイルの中の各ソースパケットに順次（図１８の例の場合、x1,y1,z1,x2,y2,z2,x3,y3,z3）割り当てられている。
【０１５９】
また、図１８のAVストリームデータのデータ片A1，B1，C1,A2，B2，C2,A3，B3，およびC3の中のビデオストリームデータの中には、それぞれ、２つ以上のGOPが含まれていてもよく、このような場合、２番目以降のGOPはClosed GOPでないGOP（非Closed GOP）でもよい。ただし、各AVストリームデータ（例えば、AVストリームデータA1）内において、符号化は完結するようになされる必要がある。例えば、AVストリームデータA1のビデオストリームデータの中に、１つのClosed GOPと２つの非Closed GOPが含まれるとする。この場合、図１９に示されるように、AVストリームファイルにおけるソースパケット番号が、例えば、x1,x11,x12と割り当てられ、ソースパケット番号がx11とx12のソースパケットが、２つの非Closed GOPにそれぞれ対応する。
【０１６０】
図１９の例では、さらに、AVストリームデータのデータ片B1のビデオストリームデータの中に、１つのClosed GOPと２つの非Closed GOPが含まれている。そして、AVストリームファイルにおけるソースパケット番号が、y1,y11,y12と割り当てられ、ソースパケット番号がy11とy12のソースパケットが、２つの非Closed GOPのソースパケットとされている。
【０１６１】
さらに、AVストリームデータのデータ片C1のビデオストリームデータの中に、１つのClosed GOPと２つの非Closed GOPが含まれている。そして、AVストリームファイルにおけるソースパケット番号が、z1,z11,z12と割り当てられ、ソースパケット番号がz11とz12のソースパケットが、２つの非Closed GOPのソースパケットとされている。
【０１６２】
なお、図１９のAVストリームデータのデータ片A2，B2，C2,A3，B3，およびC3の中のビデオストリームデータについても同様である。
【０１６３】
図２０は、図１９の場合におけるClip Information fileのデータ内容を示す。なお、AVストリームデータA1，B1，C1，A2，B2，C2，A3，B3，およびC3の内容については、基本的に図７の場合と同様であるので、その説明は省略する。
【０１６４】
図２０に示されるように、AVストリームファイル(Clip AV stream file X)に付属するClip Information fileは、Clipの中のエントリーポイントのタイムスタンプと、Clip AVストリームファイルの中でストリームのデコードを開始すべきソースパケット番号との対応関係を記述したマップであるEP_mapを有する。
【０１６５】
EP_mapの中の各エントリーポイントは、is_AngleChange_point, Angle_number, PTS_EP_startとSPN_EP_startのフィールドデータを持つ。is_AngleChange_pointは、そのエントリーポイントでアングル切り替え可能であるかどうかを示す。Angle_numberはそのエントリーポイントが属するアングル番号を示す。SPN_EP_startは、そのエントリーポイントのパケット番号を示す。PTS_EP_startは、そのエントリーポイントの表示開始時刻を示す。
【０１６６】
例えば、SPN_EP_startがx1, x2,またはx3であるエントリーポイントは、アングルを切り替えることができるので、それらのis_AngleChange_pointは「１」とされる。また、SPN_EP_startがx11, x12であるエントリーポイントは、アングルを切り替えることができないので、それらのis_AngleChange_pointは「０」とされる。換言すれば、is_AngleChange_pointは、is_AngleChange_pointが「０」であるエントリーポイントでアングル切り替えをしたとしても、シームレスな切り替えが保証されないこと、すなわち、AVストリームデータを所定のビットレートで連続供給できることを保証されないということを意味している。なお、SPN_EP_startがy11, y12, z11, z12であるエントリーポイントについても同様である。
【０１６７】
図２１は、図２０においてClip AVストリームファイルを管理するときのPlayItemのシンタクスを示す。Clip_information_file_nameがマルチアングル再生で使用するAVストリームの参照先（図２１の例の場合、Clip_information_X）であり、IN_time（図２１の例の場合、T1）とOUT_time（図２１の例の場合、T4）は、マルチアングル再生の時間区間の始点と終点である。勿論、図２１のPlayItemの場合、時間からデータアドレスへの変換のためには、図２０で説明したEP_mapが使用される。
【０１６８】
これにより、Clip1, Clip2,およびClip3が１つのファイルとして扱われるためにファイルデータの断片化を抑制することができるので、図７の場合に比べ、AVストリームファイルのデータを管理する際のデータ量を減らすことができる。
【０１６９】
次に、図２２のフローチャートを参照して、Angle#1の第１のPlayItemで規定される再生区間 a1，Angle#2の第２のPlayItemで規定される再生区間 b2，Angle#3の第３のPlayItemで規定される再生区間 c3を、アングルを切り替えて再生する場合を例として、図２０のEP_mapを使用してデータの読み出しアドレスを決定する処理について説明する。
【０１７０】
ステップＳ１２１において、制御部２３は、Angle#1の第１のPlayItemで規定される再生区間a1に対応する再生区間のAVストリームデータA1を読み出すために、図２０のEP_mapのAngle_number=1のエントリーポイントのデータから、AVストリームデータA1の読み出し開始アドレスと読み出し終了アドレスを取得する。制御部２３は、ステップＳ１２２において、EP_mapから、AVストリームデータA1の読み出し開始アドレスとしてタイムスタンプT1に対応するソースパケット番号x1を読み取る。そして、AVストリームデータのデータ片A1の読み出し終了アドレスとして、Angle_number=1のタイムスタンプT2に対応するソースパケット番号x2を読み取り、さらにソースパケット番号x2の直前のソースパケット番号(x2-1)を決定する。
【０１７１】
ステップＳ１２３において、制御部２３は、Angle#2の第２のPlayItemで規定される再生区間b2に対応する再生区間のAVストリームデータB2を読み出すために、図２０のEP_mapのAngle_number=2のエントリーポイントのデータから、AVストリームデータB2の読み出し開始アドレスと読み出し終了アドレスを取得する。ステップＳ１２４において、制御部２３は、EP_mapから、AVストリームデータB2の読み出し開始アドレスとしてタイムスタンプT2に対応するソースパケット番号y2を読み取る。そして、AVストリームデータのデータ片B2の読み出し終了アドレスとして、Angle_number=2のタイムスタンプT3に対応するソースパケット番号y3を読み取り、さらにソースパケット番号y3の直前のソースパケット番号(y3-1)を決定する。
【０１７２】
ステップＳ１２５において、制御部２３は、Angle#3の第３のPlayItemで規定される再生区間 c3に対応する再生区間のAVストリームデータC3を読み出すために、図２０のEP_mapのAngle_number=3のエントリーポイントのデータから、AVストリームデータC3の読み出し開始アドレスと読み出し終了アドレスを取得する。制御部２３は、ステップＳ１２６において、EP_mapから、AVストリームデータC3の読み出し開始アドレスとしてタイムスタンプT3に対応するソースパケット番号z3を読み取る。そして、AVストリームデータのデータ片C3読み出し終了アドレスとして、Angle_number=3の最後のソースパケット番号を決定する。
【０１７３】
図２３は、マルチアングルを構成するPlayListの、図15における場合とは異なる他の例を示している。
【０１７４】
図２３の例のPlayListは、マルチアングルタイプのPlayItemを含み、それは、例えば、２つの情報を持つ。１つ目の情報は、マルチアングル再生で使用するAVストリームの参照先の情報（指示情報）であり、例えば、図２３の例の場合、Clip AV stream1，Clip AV stream2，Clip AV stream3が参照先とされる。従って、指示情報（ポインタ）は、それらを指示する情報となる。２つ目の情報は、マルチアングル再生の時間区間を表すところのイン点（IN_time）とアウト点（OUT_time）であり、図２３の例の場合、IN_time=T1とOUT_timeである。このIN_timeとOUT_timeは、マルチアングル再生で使用する複数のAVストリームに共通に使われる。
【０１７５】
Clipsをインターリーブして記録する方法は、図１０を用いて説明した場合と基本的に同様である。
【０１７６】
すなわち、マルチアングルを構成する各アングルに対応するAVストリームデータを記録媒体１００に記録するとき、図１０に示されるように、例えば、A1，A2，A3，B1，B2，B3，C1，C2，C3のように、同一のアングルのAVストリームデータのうちの複数（図１０の例の場合、３個）の連続するデータごとに（例えば、「A1，A2，A3」，「B1，B2，B3」，「C1，C2，C3」ごとに）、各アングルのAVストリームデータをインターリーブして記録する。なお、図１０に示されるようにインターリーブされて記録されたAVストリームデータをアングルを切り替えて再生する場合、アングル切り替え点のアドレス（例えば、図１２を用いて説明した場合と同様のAVストリームデータA1，A2，A3，・・・の読み出し開始アドレスとしてのタイムスタンプT1，T2，T3，・・・に対応するソースパケット番号x1，x2，x3，・・・）は、図１２に示されるように、各AVストリームのEP_mapから取得される。
【０１７７】
図１２に示されるように、Clip1（Clip AV stream１）のEP_map（図１２のEP_map of Clip Information1）の各エントリーポイントは、is_AngleChange_point, PTS_EP_startとSPN_EP_startのフィールドデータを持つ。
【０１７８】
is_AngleChange_pointは、そのエントリーポイントでアングル切り替え可能であるかどうかを示す。SPN_EP_startは、そのエントリーポイントのパケット番号を示す。PTS_EP_startは、そのエントリーポイントの表示開始時刻を示す。
【０１７９】
例えば、SPN_EP_startがx1, x2,またはx3であるエントリーポイントは、アングルを切り替えることができるので、それらのis_AngleChange_pointは「１」とされる。また、SPN_EP_startがx11,x12であるエントリーポイントは、アングルを切り替えることができないので、それらのis_AngleChange_pointは「０」とされる。換言すれば、is_AngleChange_pointは、is_AngleChange_pointが「０」であるエントリーポイントでアングル切り替えをしたとしても、シームレスな切り替えが保証されないこと、すなわち、AVストリームデータを所定のビットレートで連続供給できることを保証されないということを意味している。
【０１８０】
なお、Clip2（Clip AV stream2）のEP_map（図１２のEP_map of Clip Information2）についても同様であり、SPN_EP_startがy1, y2,またはy3であるエントリーポイントは、アングルを切り替えることができるので、それらのis_AngleChange_pointは「１」とされる。
【０１８１】
また、Clip3（Clip AV stream3）のEP_map（図１２のEP_map of Clip Information3）についても同様であり、SPN_EP_startがz1, z2,またはz3であるエントリーポイントは、アングルを切り替えることができるので、それらのis_AngleChange_pointは「１」とされる。
【０１８２】
図２４は、図２３におけるPlayItemのシンタクスを示す。
【０１８３】
Clip_information_file_nameがマルチアングル再生で使用するAVストリームの参照先であり、IN_timeとOUT_timeがマルチアングル再生の時間区間である。
【０１８４】
次に、図２３および図２４を用いて説明した場合におけるマルチアングルに用いるAV信号を記録媒体１００に記録する処理は、基本的に、図１３を用いて説明した場合と同様である。
【０１８５】
すなわち、制御部２３は、マルチアングルを構成する各アングルの区間を、複数の所定の区間に区切ることを、ユーザインタフェース２４を介してユーザに指示する。ユーザはこの指示に基づいて、各アングルの全体の区間を切り替え点に区分する指令を入力する。制御部２３は、この指令を取得する。そして、AVエンコーダ１５は、区分された各区間毎のビデオ信号を、Closed GOPから開始するビデオストリームにエンコードするとともに、各区間毎のオーディオ信号をオーディオストリームにエンコードする。このエンコード処理は、すべてのアングルのビデオ信号とオーディオ信号について行われる。
【０１８６】
マルチプレクサ１６は、各区間毎のビデオストリームとオーディオストリームを、各区間毎のトランスポートストリームに多重化し、各アングルのAVストリームデータを、例えば、図１０に示すようにインターリーブする。マルチプレクサ１６により、最初のパケットがビデオパケットになるように多重化が行われ、そのビデオパケットは、Closed GOPのIピクチャから開始する。
【０１８７】
そして、ソースパケッタイザ１９は、所定の区間毎のトランスポートストリームをソースパケット化し、書き込み部２２は、AVストリームファイルとして記録媒体１００に記録する。これにより、ソースパケット化され記録されたトランスポートストリームから成る各アングル毎のClip AV stream fileが、記録媒体１００上に生成される。なお、全てのアングルにおいて、トランスポートストリームのビデオのパケットID（PID）は、同一とされる。オーディオのパケットIDも同一とされる。
【０１８８】
次に、多重化ストリーム解析部１８は、各区間毎のトランスポートストリームの先頭のIピクチャのタイムスタンプと、ペイロードがIピクチャから開始するパケットのパケット番号を取得する。制御部２３は、タイムスタンプ とパケット番号の組をEP_mapに追加する（EP_mapがないときは生成される）。
【０１８９】
そして、制御部２３は、書き込み部２２を制御し、Clip AV stream file 毎に生成されたEP_mapを記録媒体１００の所定の領域に、まとめて（集中して）記録させる。
【０１９０】
制御部２３は、PlayListを生成した後、書き込み部２２を制御し、所定の区間がPlayItemの形式で表され、そのようなデータ構造を持つPlayListファイルを、記録媒体１００の所定の領域にまとめて（集中して）記録させる。なお、図１２に示されるように、EP_mapにエントリーされているエントリーポイントのうち、アングル切り替え点ではないエントリーポイントを含む場合、制御部２３がPlayListを生成するとき、図１２に示されるEP_mapのフラグ（「１」と「０」）に基づいてアングル切り替え点を設定する。
【０１９１】
次に、図２５を用いて、図２３から図２４の例における、記録されたマルチアングルを再生する再生処理２について説明する。
【０１９２】
ステップＳ１４１において、制御部２３は、記録媒体１００からPlayList fileと、そのPlayListが含むマルチアングルタイプのPlayItemが参照する複数のClipsのClip Information files(EP_mapsを含む)を読み出す。すなわち、先読みが行われる。EP_mapsはまとめて記録されているため、迅速に読み出すことができる。
【０１９３】
ステップＳ１４２において、制御部２３は、ステップＳ１４１の処理で読み出したPlayListが含むマルチアングルタイプのPlayItemに基づいて、AVストリームデータを再生する。ステップＳ１４３において、制御部２３は、ユーザが、ユーザインタフェース２４を介して、アングルの切り替えを指示したか否かを判定する。アングル切り替えが指示されていないと判定された場合、ステップＳ１４４において、制御部２３は、再生の終了がユーザにより指示されたか否かを判定する。終了が指示されたと判定された場合、処理が終了されるが、指示されていないと判定された場合、処理はステップＳ１４３に戻る。
【０１９４】
ステップＳ１４３において、アングルを切り替えることが指示されたと判定された場合、ステップＳ１４５において、制御部２３は、切り替え元の（現在再生中の）アングルに対応するClip AVストリームの再生区間の中で、現在の再生時刻に最も近い未来の表示終了時刻を持つ第１の再生区間を検索する。例えば、図２３の例において、タイムスタンプがT1からT2の間に、Angle#1からAngle#2へ変更が指示された場合、再生区間a1が目的の第１の再生区間である。これは、Angle#1のClipのEP_mapにおいて、T1とT2のそれぞれにおいて、is_AngleChange_pointが「１」にセットされていることから導かれる。
【０１９５】
ステップＳ１４６において、制御部２３は、切り替え先のアングルに対応するClip AVストリームの再生区間の中で、上記第１の再生区間の表示終了時刻を、表示開始時刻に持つ第２の再生区間を検索する。例えば、図２３の例において、タイムスタンプがT1からT2の間に、Angle#1からAngle#2へ変更が指示された場合、再生区間b2が目的の第２の再生区間である。これは、Angle#2のClipのEP_mapにおいて、T2とT3のそれぞれにおいて、is_AngleChange_pointが「１」にセットされていることから導かれる。
【０１９６】
ステップＳ１４７において、制御部２３は、第１の再生区間が参照するClipのEP_mapを参照して、第１の再生区間の表示終了時刻に対応するソースパケット番号を取得し、そのソースパケット番号の直前のソースパケットを切り替え元のアングルのデータ読み出し終了点とする。
【０１９７】
ステップＳ１４８において、制御部２３は、第２の再生区間が参照するClipのEP_mapを参照して、第２の再生区間の表示開始時刻に対応するソースパケット番号を取得し、そのソースパケット番号のソースパケットを切り替え先のアングルのデータ読み出し開始点とする。
【０１９８】
ステップＳ１４９において、制御部２３は、現在の再生位置が、ステップＳ１４７の処理で演算された終了点であるか否かを判定する。現在の再生位置が終了点でない場合、終了点となるまで待機し、終了点に達したとき、ステップＳ１５０に進み、制御部２３は、ステップＳ１４８の処理で演算された開始点に再生位置をジャンプさせる。その後、処理はステップＳ１４３に戻り、それ以降の処理が繰り返される。
【０１９９】
上述した一連の処理は、ハードウエアにより実行させることもできるし、ソフトウエアにより実行させることもできる。この場合、例えば、記録再生装置１は、図２６に示されるようなパーソナルコンピュータにより構成される。
【０２００】
図２６において、CPU１３１は、ROM１３２に記憶されているプログラム、または記憶部１３８からRAM１３３にロードされたプログラムに従って各種の処理を実行する。RAM１３３にはまた、CPU１３１が各種の処理を実行する上において必要なデータなども適宜記憶される。
【０２０１】
CPU１３１、ROM１３２、およびRAM１３３は、バス１３４を介して相互に接続されている。このバス１３４にはまた、入出力インタフェース１３５も接続されている。
【０２０２】
入出力インタフェース１３５には、キーボード、マウスなどよりなる入力部１３６、CRT(Cathode-Ray Tube)、LCD(Liquid Crystal Display)などよりなるディスプレイ、並びにスピーカなどよりなる出力部１３７、ハードディスクなどより構成される記憶部１３８、モデム、ターミナルアダプタなどより構成される通信部１３９が接続されている。通信部１３９は、インターネット（図示せず）を含むネットワークを介しての通信処理を行う。
【０２０３】
入出力インタフェース１３５にはまた、必要に応じてドライブ１４０が接続され、磁気ディスク１５１、光ディスク１５２、光磁気ディスク１５３、或いは半導体メモリ１５４などが適宜装着され、それらから読み出されたコンピュータプログラムが、必要に応じて記憶部１３８にインストールされる。
【０２０４】
コンピュータにインストールされ、コンピュータによって実行可能な状態とされるプログラムを格納するプログラム格納媒体は、図２６に示されるように、磁気ディスク１５１（フレキシブルディスクを含む）、光ディスク１５２（CD-ROM(Compact Disk-Read Only Memory),DVD(Digital Versatile Disk)を含む）、光磁気ディスク１５３（MD（Mini-Disk）を含む）、もしくは半導体メモリ１５４などよりなるパッケージメディア、または、プログラムが一時的もしくは永続的に格納されるROM１３２や、記憶部１３８を構成するハードディスクなどにより構成される。プログラム格納媒体へのプログラムの格納は、必要に応じてルータ、モデムなどのインタフェースを介して、ローカルエリアネットワーク、インターネット、デジタル衛星放送といった、有線または無線の通信媒体を利用して行われる。
【０２０５】
なお、本明細書において、プログラム格納媒体に格納されるプログラムを記述するステップは、記載された順序に沿って時系列的に行われる処理はもちろん、必ずしも時系列的に処理されなくとも、並列的あるいは個別に実行される処理をも含むものである。本発明は、DVDの他、Blu-ray Disc,CD-Rその他の光ディスク、MDその他の光磁気ディスク、磁気ディスク等の記録媒体に対してAVストリームを記録または再生する場合にも適用することができる。
【０２０６】
また、本発明は、本発明の実施の形態において、マルチアングルの記録再生におけるアングルの切り替えに適用されているが、例えば、マルチストーリーやレイティング制御などの再生パスにも適用することができる。
【０２０７】
なお、AVストリームを記録もしくは再生する図２の記録媒体１００が、例えば、DVDの他、CD-Rその他の光ディスク、MDその他の光磁気ディスク、磁気ディスク等のディスク型の記録媒体である場合、ディスク表面に同心円状またはスパイラル状に設定された「トラック」の上に、ピットまたはマークをデータの記録波形に基づいて形成することにより、情報が記録されるようになされている。
【０２０８】
例えば、CD-ROMやDVD-ROMなど、プレスしてデータを記録するメディアでは、実際に表面に物理的なくぼみであるピットが形成される。これに対し、例えば、CD-R、CD-RW、DVD-R、DVD-RW、または、DVD-RAMなどの追記または書き換え型のメディアの場合、物理的なくぼみをつける代わりに、レーザ光を当て、その熱によってメディア内部の相変化膜に化学変化を生じさせることにより、くぼみの代用であるマークが形成される。
【０２０９】
記録されたデータが再生される場合、データを読み取るためにヘッドから照射されたレーザ光は、メディア表面で反射するが、その際、このピットまたはマークの有無によって反射光に変化が生じることによりデータが再生される。
【０２１０】
記録されているデータの認識方法には、ピットの有無がビットデータを表す「マークポジション記録方式」と、ピットの存在がビットを反転させる「マークエッジ記録方式」が存在する。
【０２１１】
後者は、反射率が一定の状態で読み取られたピットを「０」、反射率がピット中で変化したピットを「１」と認識する方式で、データを記録する際のトラックのロスを少なくし、ピット長を縮めることに貢献している。
【０２１２】
なお、図２６を用いて説明した磁気ディスク１５１、光ディスク１５２、光磁気ディスク１５３、ROM１３２、または、記憶部１３８を構成するハードディスクなどのディスク型の記録媒体における情報の記録または再生の方法も、図２の記録媒体１００がディスク型の記録媒体である場合と同様である。
【図面の簡単な説明】
【図１】DVDビデオのマルチアングルのフォーマットを説明する図である。
【図２】本発明を適用した記録再生装置の内部の構成を示すブロック図である。
【図３】本発明の実施の形態において用いられる記録媒体上のアプリケーションフォーマットの構造を説明する図である。
【図４】AVストリームファイルの構造を示す図である。
【図５】マルチアングルにおいてシームレスなアングル変更の再生を説明する図である。
【図６】マルチアングルにおいてシームレスにアングルを変更する場合の処理を説明するフローチャートである。
【図７】Clip Information fileのデータ内容を示す図である。
【図８】EP_mapを使用してデータの読み出しアドレスを決定する処理を説明するフローチャートである。
【図９】Clipsを多重化して記録する方法を説明する図である。
【図１０】Clipsを多重化して記録する方法を説明する図である。
【図１１】Clip Information fileのデータ内容を示す図である。
【図１２】図１０の場合におけるClip Information fileのデータ内容を示す図である。
【図１３】マルチアングルに用いるAV信号を記録する処理を説明するフローチャートである。
【図１４】記録されたマルチアングルのAVストリームデータを再生する処理を説明するフローチャートである。
【図１５】PlayListの構成例を示す図である。
【図１６】図１５におけるPlayItemのシンタクスを示す図である。
【図１７】記録されたマルチアングルのAVストリームデータを再生する再生処理１について説明するためのフローチャートである。
【図１８】AVストリームファイルの他の構造を示す図である。
【図１９】AVストリームファイルの他の構造を示す図である。
【図２０】図１９の場合におけるClip Information fileのデータ内容を示す図である。
【図２１】図２０においてClip AVストリームファイルを管理するときのPlayItemのシンタクスを示す図である。
【図２２】図２０のEP_mapを使用してデータの読み出しアドレスを決定する処理を説明するフローチャートである。
【図２３】Clipを多重化して記録する他の方法を説明する図である。
【図２４】図２３におけるPlayItemのシンタクスを示す図である。
【図２５】再生処理２について説明するためのフローチャートである。
【図２６】パーソナルコンピュータの構成例を示すブロック図である。
【符号の説明】
【０２１３】
１  記録再生装置，  ２  記録部，  ３再生部，  １４  解析部，  １５  ＡＶエンコーダ，  １６  マルチプレクサ,  １８  多重化ストリーム解析部，  １９  ソースパケッタイザ，  ２０  ＥＣＣ符号化部，  ２１  変調部，  ２２  書き込み部，  ２３  制御部，  ２６  デマルチプレクサ，  ２７  ＡＶデコーダ，  ２８  読み出し部，  ２９  復調部，  ３０  ＥＣＣ復号部，  ３１  ソースデパケッタイザ，  １３１  ＣＰＵ，  １３２  ＲＯＭ，  １３３  ＲＡＭ，  １３８  記憶部，  １５１  磁気ディスク，  １５２  光ディスク，  １５３  光磁気ディスク，  １５４  半導体メモリ
【図１】
0004441884.tif 000002
【図２】
0004441884.tif 000003
【図３】
0004441884.tif 000004
【図４】
0004441884.tif 000005
【図５】
0004441884.tif 000006
【図６】
0004441884.tif 000007
【図７】
0004441884.tif 000008
【図８】
0004441884.tif 000009
【図９】
0004441884.tif 000010
【図１０】
0004441884.tif 000011
【図１１】
0004441884.tif 000012
【図１２】
0004441884.tif 000013
【図１３】
0004441884.tif 000014
【図１４】
0004441884.tif 000015
【図１５】
0004441884.tif 000016
【図１６】
0004441884.tif 000017
【図１７】
0004441884.tif 000018
【図１８】
0004441884.tif 000019
【図１９】
0004441884.tif 000020
【図２０】
0004441884.tif 000021
【図２１】
0004441884.tif 000022
【図２２】
0004441884.tif 000023
【図２３】
0004441884.tif 000024
【図２４】
0004441884.tif 000025
【図２５】
0004441884.tif 000026
【図２６】
0004441884.tif 000027